(57)【要約】  本発明は、端末技術分野に属するオーディオ再生方法及び装置に関する。当該方法において、分離型本体に接続されているサードパーティ端末のオーディオデコードパラメータであって、デジタルオーディオ信号をアナログオーディオ信号に変換する変換能力を示すための第１オーディオデコードパラメータを取得するステップと、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択するステップと、選択されたデバイスによってオーディオ再生を行うステップと、を含み、当該第１オーディオデコードパラメータと当該第２オーディオデコードパラメータとの夫々は、少なくともオーディオデコード方式を含む。本発明では、第１オーディオデコードパラメータと第２オーディオデコードパラメータとを比較することにより、変換能力が大きいデバイスをオーディオ再生のためのデバイスとして選択し、オーディオ再生効果も、再生デバイスの選択の精度も向上する。【選択図】        図３
2018509007.tif 000002
【特許請求の範囲】
【請求項１】
分離型本体に接続されているサードパーティ端末のオーディオデコードパラメータであって、デジタルオーディオ信号をアナログオーディオ信号に変換する変換能力を示すための第１オーディオデコードパラメータを取得するステップと、
前記分離型本体のオーディオデコードパラメータを第２オーディオデコードパラメータとして、前記第１オーディオデコードパラメータ及び前記第２オーディオデコードパラメータに基づき、前記サードパーティ端末と前記分離型本体のうち、変換能力が大きいデバイスを選択するステップと、
選択されたデバイスによってオーディオ再生を行うステップと、を含み、
前記第１オーディオデコードパラメータと前記第２オーディオデコードパラメータとの夫々は、少なくともオーディオデコード方式を含むことを特徴とするオーディオ再生方法。
【請求項２】
前記第１オーディオデコードパラメータと前記第２オーディオデコードパラメータとの夫々は、サンプリング周波数とサウンドチャンネル個数のうち、少なくとも一方をさらに含むことを特徴とする請求項１に記載の方法。
【請求項３】
前記第１オーディオデコードパラメータ及び前記第２オーディオデコードパラメータに基づき、前記サードパーティ端末と前記分離型本体のうち、変換能力が大きいデバイスを選択するステップは、
前記第１オーディオデコードパラメータに含まれているオーディオデコード方式の個数である第１個数と前記第２オーディオデコードパラメータに含まれているオーディオデコード方式の個数である第２個数を特定するステップと、
前記第１個数が前記第２個数より大きい場合に、前記サードパーティ端末を変換能力が大きいデバイスとして決まるステップと、
前記第１個数が前記第２個数より小さい場合に、前記分離型本体を変換能力が大きいデバイスとして決まるステップと、を含むことを特徴とする請求項１に記載の方法。
【請求項４】
前記第１個数と前記第２個数を特定するステップの後には、
前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するステップと、
前記第１サンプリング周波数が前記第２サンプリング周波数より大きい場合に、前記サードパーティ端末を変換能力が大きいデバイスとして決まるステップと、
前記第１サンプリング周波数が前記第２サンプリング周波数より小さい場合に、前記分離型本体を変換能力が大きいデバイスとして決まるステップと、をさらに含むことを特徴とする請求項３に記載の方法。
【請求項５】
前記第１個数と前記第２個数を特定するステップの後には、
前記第１個数と前記第２個数が等しい場合に、前記第１オーディオデコードパラメータと前記第２オーディオデコードパラメータの夫々に、サウンドチャンネル個数がさらに含まれていると、前記第１オーディオデコードパラメータに含まれているサウンドチャンネル個数である第１サウンドチャンネル個数と前記第２オーディオデコードパラメータに含まれているサウンドチャンネル個数である第２サウンドチャンネル個数を取得するステップと、
前記第１サウンドチャンネル個数が前記第２サウンドチャンネル個数より大きい場合に、前記サードパーティ端末を変換能力が大きいデバイスとして決まるステップと、
前記第１サウンドチャンネル個数が前記第２サウンドチャネル個数より小さい場合に、前記分離型本体を変換能力が大きいデバイスとして決まるステップと、をさらに含むことを特徴とする請求項３に記載の方法。
【請求項６】
前記第１オーディオデコードパラメータを取得するステップは、
所定のインタフェースを介して前記サードパーティ端末の拡張表示識別データＥＤＩＤを読み取るステップと、
前記サードパーティ端末のＥＤＩＤから前記第１オーディオデコードパラメータを取得するステップと、を含むことを特徴とする請求項１ないし請求項５のいずれか１項に記載の方法。
【請求項７】
前記サードパーティ端末のＥＤＩＤから前記第１オーディオデコードパラメータを取得するステップは、
所定の経路を介して、前記サードパーティ端末のＥＤＩＤからデータファイルを取得するステップと、
前記データファイルから前記第１オーディオデコードパラメータを取得するステップと、を含むことを特徴とする請求項６に記載の方法。
【請求項８】
前記前記第１オーディオデコードパラメータ及び前記第２オーディオデコードパラメータに基づき、前記サードパーティ端末と前記分離型本体のうち、変換能力が大きいオーディオデコードパラメータがあるデバイスを選択するステップの前には、
前記分離型本体のＥＤＩＤを読み取るステップと、
前記分離型本体のＥＤＩＤから前記第２オーディオデコードパラメータを取得するステップと、を含むことを特徴とする請求項１ないし７のいずれか１項に記載の方法。
【請求項９】
前記第１オーディオデコードパラメータ及び前記第２オーディオデコードパラメータに基づき、前記サードパーティ端末と前記分離型本体のうち、変換能力が大きなデバイスを選択するステップは、
前記分離型本体にオーディオ再生機能を有するサードパーティ再生ソースが接続接続されている場合に、前記サードパーティ再生ソースのオーディオデコードパラメータである第３オーディオデコードパラメータを取得するステップと、
前記第１オーディオデコードパラメータと、前記第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するステップと、を含むことを特徴とする請求項１ないし８のいずれか１項に記載の方法。
【請求項１０】
分離型本体に接続されているサードパーティ端末のオーディオデコードパラメータであって、デジタルオーディオ信号をアナログオーディオ信号に変換する変換能力を示すための第１オーディオデコードパラメータを取得するための第１取得モジュールと、
前記分離型本体のオーディオデコードパラメータを第２オーディオデコードパラメータとして、前記第１オーディオデコードパラメータ及び前記第２オーディオデコードパラメータに基づき、前記サードパーティ端末と前記分離型本体のうち、変換能力が大きいデバイスを選択するための選択モジュールと、
選択されたデバイスによってオーディオ再生を行うための再生モジュールと、を含み、
前記第１オーディオデコードパラメータと前記第２オーディオデコードパラメータとの夫々は、少なくとも少なくともオーディオデコード方式を含むことを特徴とするオーディオ再生装置。
【請求項１１】
前記第１オーディオデコードパラメータと前記第２オーディオデコードパラメータとの夫々は、サンプリング周波数とサウンドチャンネル個数のうち、少なくとも一方をさらに含むことを特徴とする請求項１０に記載の装置。
【請求項１２】
前記選択モジュールは、
前記第１オーディオデコードパラメータに含まれているオーディオデコード方式の個数である第１個数と前記第２オーディオデコードパラメータに含まれているオーディオデコード方式の個数である第２個数を特定するための第１特定ユニットと、
前記第１個数が前記第２個数より大きい場合に、前記サードパーティ端末を変換能力が大きいデバイスとして決まるための第２特定ユニットと、
前記第１個数が前記第２個数より小さい場合に、前記分離型本体を変換能力が大きいデバイスとして決まるための第３特定ユニットと、を含むことを特徴とする請求項１０に記載の装置。
【請求項１３】
前記選択モジュールは、
前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するための第１取得ユニットと、
前記第１サンプリング周波数が前記第２サンプリング周波数より大きい場合に、前記サードパーティ端末を変換能力が大きいデバイスとして決まるための第４特定ユニットと、
前記第１サンプリング周波数が前記第２サンプリング周波数より小さい場合に、前記分離型本体を変換能力が大きいデバイスとして決まるための第５特定ユニットと、をさらに含むことを特徴とする請求項１２に記載の装置。
【請求項１４】
前記選択モジュールは、
前記第１個数と前記第２個数が等しい場合に、前記第１オーディオデコードパラメータと前記第２オーディオデコードパラメータの夫々に、サウンドチャンネル個数がさらに含まれていると、前記第１オーディオデコードパラメータに含まれているサウンドチャンネル個数である第１サウンドチャンネル個数と前記第２オーディオデコードパラメータに含まれているサウンドチャンネル個数である第２サウンドチャンネル個数を取得するための第２取得ユニットと、
前記第１サウンドチャンネル個数が前記第２サウンドチャンネル個数より大きい場合に、前記サードパーティ端末を変換能力が大きいデバイスとして決まるための第６特定ユニットと、
前記第１サウンドチャンネル個数が前記第２サウンドチャンネル個数より小さい場合に、前記分離型本体を変換能力が大きいデバイスとして決まるための第７特定ユニットと、をさらに含むことを特徴とする請求項１２に記載の装置。
【請求項１５】
前記第１取得モジュールは、
所定のインタフェースを介して前記サードパーティ端末の拡張表示識別データＥＤＩＤを読み取るための読取ユニットと、
前記サードパーティ端末のＥＤＩＤから前記第１オーディオデコードパラメータを取得するための第３取得ユニットと、を含むことを特徴とする請求項１０ないし１４のいずれか１項に記載の装置。
【請求項１６】
前記第３取得ユニットは、
所定の経路を介して、前記サードパーティ端末のＥＤＩＤからデータファイルを取得するための第１取得サブユニットと、
前記データファイルから前記第１オーディオデコードパラメータを取得するための第２取得サブユニットと、含むことを特徴とする請求項１５に記載の装置。
【請求項１７】
前記装置は、
前記分離型本体のＥＤＩＤを読み取るための読取モジュールと、
前記分離型本体のＥＤＩＤから前記第２オーディオデコードパラメータを取得するための第２取得モジュールと、を含むことを特徴とする請求項１０ないし１６のいずれか１項に記載の装置。
【請求項１８】
前記選択モジュールは、
前記分離型本体にオーディオ再生機能を有するサードパーティ再生ソースが接続接続されている場合に、前記サードパーティ再生ソースのオーディオデコードパラメータである第３オーディオデコードパラメータを取得するための第４取得ユニットと、
前記第１オーディオデコードパラメータと、前記第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するための選択ユニットと、を含むことを特徴とする請求項１０ないし１７のいずれか１項に記載の装置。
【請求項１９】
プロセッサーと、
プロセッサーに実行可能の指令を記憶するためのメモリと、を含み、
前記プロセッサーは、
分離型本体に接続されているサードパーティ端末のオーディオデコードパラメータであって、デジタルオーディオ信号をアナログオーディオ信号に変換する変換能力を示すための第１オーディオデコードパラメータを取得し、
前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力が大きいデバイスを選択し、
選択されたデバイスによってオーディオ再生を行うように配置され、
前記第１オーディオデコードパラメータと前記第２オーディオデコードパラメータとの夫々は、少なくともオーディオデコード方式を含むことを特徴とするオーディオ再生装置。
【発明の詳細な説明】
【技術分野】
【０００１】
本出願は、出願番号が２０１５１０９８０３２０．２であって、出願日が２０１５年１２月２３日である中国特許出願に基づき優先権を主張し、当該中国特許出願の内容の全てを本願に援用する。
【０００２】
本発明は、端末技術分野、特に、オーディオ再生方法及び装置に関する。
【背景技術】
【０００３】
分離型テレビとは、画像表示部と、信号処理部と、音声システムとが分離に設置されたテレビである。一般的に分離型テレビは、画像が表示されている分離型スクリーンと、自分の音響システムを有することで、信号の処理及び音声の出力を行う分離型本体とを含む。そして、分離型テレビは、ハードウェア構成のアップデート際に、分離型スクリーンがそのままとされ、分離型本体が直接に交換されて、ハードウェア構成をアップデートするコストが低下するので、より多くのユーザーは分離型テレビを利用し始める。
【発明の概要】
【発明が解決しようとする課題】
【０００４】
現在、この分離型本体は、分離型スクリーンと合わせて用いられるだけでなく、サードパーティ端末に接続されてサードパーティ端末と合わせて用いられても良いことは言うまでもない。例えば、このサードパーティ端末は、サードパーティテレビ、ディスクプレーヤー、プレーヤーなどである。分離型本体自分の音響システムは、オーディオを再生できるとともに、分離型本体に接続されているサードパーティ端末もオーディオを再生できる。しかし、一般的にオーディオ情報は、一つしかのデバイスにより再生することができない。このため、分離型本体にサードパーティ端末が接続されている場合にオーディオを再生する方法が要望されている。
【０００５】
本発明は、従来技術の問題点を解決するために、オーディオ再生方法及び装置を提供する。
【課題を解決するための手段】
【０００６】
本発明の実施例の第１局面によれば、分離型本体に接続されているサードパーティ端末のオーディオデコードパラメータであって、デジタルオーディオ信号をアナログオーディオ信号に変換する変換能力を示すための第１オーディオデコードパラメータを取得するステップと、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択するステップと、選択されたデバイスによってオーディオ再生を行うステップと、を含み、前記第１オーディオデコードパラメータと前記第２オーディオデコードパラメータとの夫々は、少なくともオーディオデコード方式を含むオーディオ再生方法を提供する。
【０００７】
第１局面によれば、上述した第１局面の第１の実施可能の形態において、前記第１オーディオデコードパラメータと第２オーディオデコードパラメータとの夫々は、サンプリング周波数とサウンドチャネル個数のうち、少なくとも一方をさらに含むオーディオ再生方法を提供する。
【０００８】
第１局面によれば、上述した第１局面の第２の実施可能の形態において、前記前記第１オーディオデコードパラメータ及び第２オーディオデコードパラメータに基づき、前記サードパーティ端末と前記分離型本体のうち、変換能力がより大きなデバイスを選択するステップは、前記第１オーディオデコードパラメータに含まれているオーディオデコード方式の個数である第１個数と前記第２オーディオデコードパラメータに含まれているオーディオデコード方式の個数である第２個数を特定するステップと、前記第１個数が前記第２個数より大きい場合に、前記サードパーティ端末を変換能力が大きいデバイスとして決まるステップと、前記第１個数が前記第２個数より小さい場合に、前記分離型本体を変換能力が大きいデバイスとして決まるステップと、を含む。
【０００９】
第１局面の第２の実施可能の形態によれば、上述した第１局面の第３の実施可能の形態において、前記第１個数と第２個数を特定するステップの後には、前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するステップと、前記第１サンプリング周波数が前記第２サンプリング周波数より大きい場合に、前記サードパーティ端末を変換能力が大きいデバイスとして決まるステップと、前記第１サンプリング周波数が前記第２サンプリング周波数より小さい場合に、前記分離型本体を変換能力が大きいデバイスとして決まるステップと、をさらに含む。
【００１０】
第１局面の第２の実施可能の形態によれば、上述した第１局面の第４の実施可能の形態において、前記第１個数と第２個数を特定するステップの後には、前記第１個数と前記第２個数が等しい場合に、前記第１オーディオデコードパラメータと前記第２オーディオデコードパラメータの夫々に、サウンドチャネル個数がさらに含まれていると、前記第１オーディオデコードパラメータに含まれているサウンドチャンネル個数である第１サウンドチャネル個数と前記第２オーディオデコードパラメータに含まれているサウンドチャンネル個数である第２サウンドチャネル個数を取得するステップと、前記第１サウンドチャネル個数が前記第２サウンドチャネル個数より大きい場合に、前記サードパーティ端末を変換能力が大きいデバイスとして決まるステップと、前記第１サウンドチャネル個数が前記第２サウンドチャネル個数より小さい場合に、前記分離型本体を変換能力が大きいデバイスとして決まるステップと、をさらに含む。
【００１１】
第１局面ないし第１局面の第４の実施可能の形態のうち、いずれの実施可能の形態によれば、上述した第１局面の第５の実施可能の形態において、前記第１オーディオデコードパラメータを取得するステップは、所定のインタフェースを介して前記サードパーティ端末のＥＤＩＤ（Extended Display Identification Data：拡張表示識別データ）を読み取るステップと、前記サードパーティ端末のＥＤＩＤから前記第１オーディオデコードパラメータを取得するステップと、を含む。
【００１２】
第１局面の第５の実施可能の形態によれば、上述した第１局面の第６の実施可能の形態において、前記前記サードパーティ端末のＥＤＩＤから前記第１オーディオデコードパラメータを取得するステップは、所定の経路に介して、前記サードパーティ端末のＥＤＩＤからデータファイルを取得するステップと、前記データファイルから前記第１オーディオデコードパラメータを取得するステップと、を含む。
【００１３】
第１局面ないし第１局面の第６の実施可能の形態のうち、いずれの実施可能の形態によれば、上述した第１局面の第７の実施可能の形態において、前記前記第１オーディオデコードパラメータ及び第２オーディオデコードパラメータに基づき、前記サードパーティ端末と前記分離型本体のうち、変換能力が大きいオーディオデコードパラメータがあるデバイスを選択するステップの前には、前記分離型本体のＥＤＩＤを読み取るステップと、前記分離型本体のＥＤＩＤから前記第２オーディオデコードパラメータを取得するステップと、を含む。
【００１４】
第１局面ないし第１局面の第７の実施可能の形態のうち、いずれの実施可能の形態によれば、上述した第１局面の第８の実施可能の形態において、前記前記第１オーディオデコードパラメータ及び第２オーディオデコードパラメータに基づき、前記サードパーティ端末と前記分離型本体のうち、変換能力がより大きなデバイスを選択するステップは、前記分離型本体にオーディオ再生機能を有するサードパーティ再生ソースが接続されている場合に、前記サードパーティ再生ソースのオーディオデコードパラメータである第３オーディオデコードパラメータを取得するステップと、前記第１オーディオデコードパラメータと、第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するステップと、を含む。
【００１５】
本発明の実施例の第２局面によれば、分離型本体に接続されているサードパーティ端末のオーディオデコードパラメータであって、デジタルオーディオ信号をアナログオーディオ信号に変換する変換能力を示すための第１オーディオデコードパラメータを取得するための第１取得モジュールと、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択するための選択モジュールと、選択されたデバイスによってオーディオ再生を行うための再生モジュールと、を含み、前記第１オーディオデコードパラメータと前記第２オーディオデコードパラメータとの夫々は、少なくともオーディオデコード方式を含むオーディオ再生装置を提供する。
【００１６】
第２局面によれば、上述した第２局面の第１の実施可能の形態において、前記第１オーディオデコードパラメータと第２オーディオデコードパラメータとの夫々は、サンプリング周波数とサウンドチャネル個数のうち、少なくとも一方をさらに含む。
【００１７】
第２局面によれば、上述した第２局面の第２の実施可能の形態において、前記選択モジュールにおいて、前記第１オーディオデコードパラメータに含まれているオーディオデコード方式の個数である第１個数と前記第２オーディオデコードパラメータに含まれているオーディオデコード方式の個数である第２個数を特定するための第１特定ユニットと、前記第１個数が前記第２個数より大きい場合に、前記サードパーティ端末を変換能力が大きいデバイスとして決まるための第２特定ユニットと、前記第１個数が前記第２個数より小さい場合に、前記分離型本体を変換能力が大きいデバイスとして決まるための第３特定ユニットと、を含む。
【００１８】
第２局面の第２の実施可能の形態によれば、上述した第２局面の第３の実施可能の形態において、前記選択モジュールにおいて、前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するための第１取得ユニットと、前記第１サンプリング周波数が前記第２サンプリング周波数より大きい場合に、前記サードパーティ端末を変換能力が大きいデバイスとして決まるための第４特定ユニットと、前記第１サンプリング周波数が前記第２サンプリング周波数より小さい場合に、前記分離型本体を変換能力が大きいデバイスとして決まるための第５特定ユニットと、をさらに含む。
【００１９】
第２局面の第２の実施可能の形態によれば、上述した第２局面の第４の実施可能の形態において、前記選択モジュールにおいて、前記第１個数と前記第２個数が等しい場合に、前記第１オーディオデコードパラメータと前記第２オーディオデコードパラメータの夫々に、サウンドチャネル個数がさらに含まれていると、前記第１オーディオデコードパラメータに含まれているサウンドチャンネル個数である第１サウンドチャネル個数と前記第２オーディオデコードパラメータに含まれているサウンドチャンネル個数である第２サウンドチャネル個数を取得するための第２取得ユニットと、前記第１サウンドチャネル個数が前記第２サウンドチャネル個数より大きい場合に、前記サードパーティ端末を変換能力が大きいデバイスとして決まるための第６特定ユニットと、前記第１サウンドチャネル個数が前記第２サウンドチャネル個数より小さい場合に、前記分離型本体を変換能力が大きいデバイスとして決まるための第７特定ユニットと、をさらに含む。
【００２０】
第２局面ないし第２局面の第４の実施可能の形態のうち、いずれの実施可能の形態によれば、上述した第２局面の第５の実施可能の形態において、前記第１取得モジュールにおいて、所定のインタフェースを介して前記サードパーティ端末の拡張表示識別データＥＤＩＤを読み取るための読取ユニットと、前記サードパーティ端末のＥＤＩＤから前記第１オーディオデコードパラメータを取得するための第３取得ユニットと、を含む。
【００２１】
第２局面の第５の実施可能の形態によれば、上述した第２局面の第６の実施可能の形態において、前記第３取得ユニットにおいて、所定の経路に介して、前記サードパーティ端末のＥＤＩＤからデータファイルを取得するための第１取得サブユニットと、前記データファイルから前記第１オーディオデコードパラメータを取得するための第２取得サブユニットと、含む。
【００２２】
第２局面ないし第２局面の第６の実施可能の形態のうち、いずれの実施可能の形態によれば、上述した第２局面の第７の実施可能の形態において、前記装置において、前記分離型本体のＥＤＩＤを読み取るための読取モジュールと、前記分離型本体のＥＤＩＤから前記第２オーディオデコードパラメータを取得するための第２取得モジュールと、を含む。
【００２３】
第２局面ないし第２局面の第７の実施可能の形態のうち、いずれの実施可能の形態によれば、上述した第２局面の第８の実施可能の形態において、前記選択モジュールにおいて、前記分離型本体にオーディオ再生機能を有するサードパーティ再生ソースが接続されている場合に、前記サードパーティ再生ソースのオーディオデコードパラメータである第３オーディオデコードパラメータを取得するための第４取得ユニットと、前記第１オーディオデコードパラメータと、第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するための選択ユニットと、を含む。
【００２４】
本発明の実施例の第３局面によれば、プロセッサーと、プロセッサーに実行可能の指令を記憶するためのメモリと、を含み、前記プロセッサーは、分離型本体に接続されているサードパーティ端末のオーディオデコードパラメータであって、デジタルオーディオ信号をアナログオーディオ信号に変換する変換能力を示すための第１オーディオデコードパラメータを取得し、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択し、選択されたデバイスによってオーディオ再生を行うように配置され、前記第１オーディオデコードパラメータと前記第２オーディオデコードパラメータとの夫々は、少なくともオーディオデコード方式を含むオーディオ再生装置を提供する。
【００２５】
本発明の実施例に提供されている技術手段によって次のような有益な効果が得られる。本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００２６】
なお、前記一般的な記載及び後述の詳細な記載は、単なる例示的で解釈的な記載であり、本発明を限定しない。
【図面の簡単な説明】
【００２７】
以下の図面は、明細書に組み入れて本明細書の一部分を構成し、本発明に該当する実施例を例示するとともに、明細書とともに本発明の原理を解釈する。
【００２８】
【図１】例示性の実施例による一つのオーディオ再生システムを示す構成図である。
【図２】例示性の実施例による他のオーディオ再生システムを示す構成図である。
【図３】例示性の実施例による一つのオーディオ再生方法を示すフローチャートである。
【図４】例示性の実施例による他のオーディオ再生方法を示すフローチャートである。
【図５】例示性の実施例による第１のオーディオ再生装置を示すブロック図である。
【図６】例示性の実施例による第１の選択モジュールを示すブロック図である。
【図７】例示性の実施例による第２の選択モジュールを示すブロック図である。
【図８】例示性の実施例による第３の選択モジュールを示すブロック図である。
【図９】例示性の実施例による一つの第１取得モジュールを示すブロック図である。
【図１０】例示性の実施例による一つの第３取得ユニットを示すブロック図である。
【図１１】例示性の実施例による第２のオーディオ再生装置を示すブロック図である。
【図１２】例示性の実施例による第４の選択モジュールを示すブロック図である。
【図１３】例示性の実施例による第３のオーディオ再生装置を示すブロック図である。
【発明を実施するための形態】
【００２９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００３０】
本発明の実施例について詳細に説明する前に、まず、本発明の実施例のシステム構成について説明する。図１に示すように、このシステムは、分離型本体と分離型スクリーンとを含む。この分離型本体は、ＨＤＭＩ（High Definition Multimedia Interface：高品位マルチメディアインタフェース）を介して分離型スクリーンに接続されている。この分離型本体は、信号の処理及びオーディオ情報の再生を行う。この分離型スクリーンには、画像が表示されている。また、この分離型本体には、分離型スクリーンの以外、サードパーティ再生ソースも接続されることができる。このサードパーティ再生ソースは、ビデオソース又はオーディオソースを提供するためのデバイスであり、オーディオ再生機能を有する再生ソースであってよいし、オーディオ再生機能を有しない再生ソースであってもよいことは言うまでもない。また、この分離型本体には、ＨＤＭＩを介して分離型スクリーンが接続されていることができるだけでなく、ＨＤＭＩを介してサードパーティ端末が接続されていることもできる。図２を参照として、サードパーティ端末は、画像を表示することができるだけでなく、オーディオを再生することもできる。そして、この分離型本体には、サードパーティ端末の以外、サードパーティ再生ソースも接続されていることもできる。
【００３１】
上述した図１に示すように、分離型本体がそれぞれ分離型スクリーン及びサードパーティ再生ソースに接続されていると、分離型スクリーンに画像が表示され、分離型本体がオーディオ再生を行い、サードパーティ再生ソースがオーディオ再生機能を有する場合、サードパーティ再生ソースがオーディオ再生を行うこともでき、つまり、このシステムはオーディオ再生機能を有するデバイスを二つ含む。上述した図２に示すように、分離型本体がそれぞれサードパーティ端末及びサードパーティ再生ソースに接続されていると、分離型本体とサードパーティ端末との夫々は、オーディオ再生を行うことができ、サードパーティ再生ソースがオーディオ再生機能を有する場合、サードパーティ再生ソースがオーディオ再生を行うこともでき、つまり、このシステムはオーディオ再生機能を有するデバイスを三つ含む。しかし、一般的に、オーディオ情報は、それらのうち、一つのデバイスによって再生を行うので、本発明の実施例、オーディオ再生機能を有する複数のデバイスのうち、一つのデバイスを選択して、選択されたデバイスにオーディオを再生させるようなオーディオ情報再生方法を提供する。
【００３２】
図３は、例示性の実施例による一つのオーディオ再生方法を示すフローチャートであり、図３に示すように、端末に適用されているこのオーディオ再生方法は、次のステップを含む。
【００３３】
ステップ３０１において、分離型本体に接続されているサードパーティ端末のオーディオデコードパラメータであって、デジタルオーディオ信号をアナログオーディオ信号に変換する変換能力を示すための第１オーディオデコードパラメータを取得する。
【００３４】
ステップ３０２において、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択する。
【００３５】
ステップ３０３において、選択されたデバイスによってオーディオ再生を行う。
【００３６】
前記第１オーディオデコードパラメータと前記第２オーディオデコードパラメータとの夫々は、少なくともオーディオデコード方式を含む。
【００３７】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００３８】
本発明の他の実施例において、当該第１オーディオデコードパラメータと第２オーディオデコードパラメータとの夫々は、サンプリング周波数とサウンドチャネル個数のうち、少なくとも一方をさらに含む。
【００３９】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該第１オーディオデコードパラメータに含まれているオーディオデコード方式の個数である第１個数と当該第２オーディオデコードパラメータに含まれているオーディオデコード方式の個数である第２個数を特定するステップと、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるステップと、を含む。
【００４０】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するステップと、当該第１サンプリング周波数が当該第２サンプリング周波数より大きい場合に、当該サードパーティ端末を変換能力が大きいデバイスとして決まるステップと、当該第１サンプリング周波数が当該第２サンプリング周波数より小さい場合に、当該分離型本体を変換能力が大きいデバイスとして決まるステップと、をさらに含む。
【００４１】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するステップと、当該第１サウンドチャネル個数が当該第２サウンドチャネル個数より大きい場合に、当該サードパーティ端末を変換能力が大きいデバイスとして決まるステップと、当該第１サウンドチャネル個数が当該第２サウンドチャネル個数より小さい場合に、当該分離型本体を変換能力が大きいデバイスとして決まるステップと、をさらに含む。
【００４２】
本発明の他の実施例において、当該第１オーディオデコードパラメータを取得するステップは、所定のインタフェースを介して当該サードパーティ端末の拡張表示識別データＥＤＩＤを読み取るステップと、当該サードパーティ端末のＥＤＩＤから当該第１オーディオデコードパラメータを取得するステップと、を含む。
【００４３】
本発明の他の実施例において、当該サードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
【００４４】
本発明の他の実施例において、当該第１オーディオデコードパラメータ及び第２オーディオデコードパラメータに基づき、当該サードパーティ端末と当該分離型本体のうち、変換能力が大きいオーディオデコードパラメータがあるデバイスを選択するステップの前には、当該分離型本体のＥＤＩＤを読み取るステップと、当該分離型本体のＥＤＩＤから当該第２オーディオデコードパラメータを取得するステップと、を含む。
【００４５】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該分離型本体にオーディオ再生機能を有するサードパーティ再生ソースが接続されている場合に、当該サードパーティ再生ソースのオーディオデコードパラメータである第３オーディオデコードパラメータを取得するステップと、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するステップと、を含む。
【００４６】
本発明の選択可能な実施例として、上述した選択可能なすべての実施形態を任意に組み合わせて使用することができるが、ここでは詳述しないようにする。
【００４７】
図４は、例示性の実施例による他のオーディオ再生方法を示すフローチャートである。図４を参照して、以下の方法を含む：
【００４８】
ステップ４０１において、分離型本体は、分離型本体に接続されているサードパーティ端末のオーディオデコードパラメータであって、デジタルオーディオ信号をアナログオーディオ信号に変換する変換能力を示すための第１オーディオデコードパラメータを取得する。
【００４９】
サードパーティ端末がオーディオを再生でき、分離型本体もオーディオを再生できることから、第１オーディオデコードパラメータと第２オーディオデコードパラメータとの再生効果を比較することにより、オーディオ再生の効果がより良いデバイスとしてサードパーティ端末と分離型本体のうちの一つを選択するために、この分離型本体が第１オーディオデコードパラメータを取得するステップは、所定のインタフェースを介してこのサードパーティ端末のＥＤＩＤを読み取るステップと、このサードパーティ端末のＥＤＩＤから当該第１オーディオデコードパラメータを取得するステップと、を含む。
【００５０】
そして、この分離型本体がサードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
【００５１】
所定の経路とは、ＥＤＩＤからデータファイルが取得されるための経路である。しかし、一般的に、データファイルは、ＥＤＩＤに存在する位置が固定であるので、この所定の経路は、予め設けておかれているものであってよいが、本実施例に限定されない。
【００５２】
また、データファイルとは、ＥＤＩＤにおいてオーディオ配置情報が含まれているファイルである。このデータファイルは、ＣＥＡ−８６１（Ｃｏｎｓｕｍｅｒ Ｅｌｅｃｔｒｏｎｉｃｓ Ａｓｓｏｃｉａｔｉｏｎ−８６１、家電協会−８６１）、すなわち、ＣＥＡで規定された非圧縮デジタルビデオ規格であってよいが、本実施例に限定されない。
【００５３】
また、分離型本体は、サードパーティ端末のデータファイルを取得したと、オーディオデコードパラメータフラグに基づき、当該データファイルから対応するオーディオデコードパラメータを取得し、取得されたオーディオデコードパラメータを第１オーディオデコードパラメータとして決定する。
【００５４】
オーディオデコードパラメータフラグは、オーディオデコードパラメータを識別するための唯一なフラグである。このオーディオデコードパラメータフラグは、オーディオデコードパラメータの名称などであってよいが、オーディオデコードパラメータの固定な番号であってもよく、その他のフラグであってもよいのは当たり前であり、本実施例に限定されない。
【００５５】
例えば、この所定の経路がＥＤＩＤ->ＣＥＡ ＢＬＯＣＫ->ＤＡＴＡ ＢＬＯＣＫの場合には、この分離型本体は、この所定の経路にしたがい、データファイルとしてＤＡＴＡ ＢＬＯＣＫを取得し、仮にオーディオデコードパラメータフラグがＡｕｄｉｏであると、オーディオデコードパラメータフラグＡｕｄｉｏに基づき、このＤＡＴＡ ＢＬＯＣＫからＡｕｄｉｏに対応するオーディオデコードパラメータを取得し、取得されたオーディオデコードパラメータを第１オーディオデコードパラメータとして決定する。
【００５６】
また、所定のインタフェースは、サードパーティ端末のＥＤＩＤを取得するためのものである。この所定のインタフェースは、ＨＤＭＩであってよいが、他のインタフェースであってもよく、本実施例に限定されない。
【００５７】
第１オーディオデコードパラメータは、オーディオデコード方式を少なくとも含み、このオーディオデコード方式とは、サードパーティ端末でオーディオ情報をデコードする方式である。このオーディオ情報デコード方式は、ＰＣＭ（Pulse Code Modulation：パルスコード変調）や、ＡＣ３（Audio Coding 3：オーディオコーディング３）、ＤＴＳ（Digital Theater Systems：デジタル・シアター・システム）、ＬＰＣ（Linear Predictive Coding：リニア予測コーディング）などであってよいが、本実施例に限定されない。
【００５８】
当該分離型本体に分離型スクリーンが接続されている場合に、分離型スクリーンがオーディオ再生機能を有しないので、当該分離型本体は、所定のインタフェースを介して第１オーディオデコードパラメータを取得する必要がない。分離型本体にサードパーティ端末が接続されている場合に、サードパーティ端末がオーディオ再生機能を有するので、この分離型本体は、所定のインタフェースを介して第１オーディオデコードパラメータを取得することができる。
【００５９】
さらに、この第１オーディオデコードパラメータは、オーディオデコード方式だけでなく、サンプリング周波数とサウンドチャネル個数のうち、少なくとも一方を含むこともできる。この第１オーディオデコードパラメータは、例えば、オーディオデジットなどといった他のパラメータをさらに含まれてもよいのは当たり前であり、本実施例に限定されない。
【００６０】
ステップ４０２において、分離型本体は、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択する。
【００６１】
変換能力とは、デジタルオーディオ信号をアナログオーディオ信号に変換する能力であり、変換能力が大きいほど、デバイスがオーディオ再生を行うオーディオ再生効果が良い。そこで、より良いオーディオ再生効果を取得するために、当該分離型本体は、当該第１オーディオデコードパラメータ及び第２オーディオデコードパラメータに基づき、当該サードパーティ端末と当該分離型本体のうち、変換能力がより大きなデバイスを選択する。そして、第１オーディオデコードパラメータと第２オーディオデコードパラメータは、少なくともオーディオデコード方式を含む。そこで、この分離型本体は、当該第１オーディオデコードパラメータ及び第２オーディオデコードパラメータに基づき、当該サードパーティ端末と当該分離型本体のうち、変換能力がより大きなデバイスを選択する動作において、当該第１オーディオデコードパラメータに含まれているオーディオデコード方式の個数である第１個数と当該第２オーディオデコードパラメータに含まれているオーディオデコード方式の個数である第２個数を特定し、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるようにしてもよい。
【００６２】
例えば、第１オーディオデコードパラメータは、オーディオデコード方式としてＰＣＬ、ＡＣ３及びＤＴＳを含む場合に、第１個数が三つとなり、第２オーディオデコードパラメータは、オーディオデコード方式としてＰＣＬ及びＤＴＳを含む場合に、第２個数が二つとなり、第１個数３が第２個数２より大きいので、サードパーティ端末を変換能力が大きいデバイスとして決まる。
【００６３】
同様に、この第２オーディオデコードパラメータは、オーディオデコード方式だけでなく、サンプリング周波数とサウンドチャネル個数のうち、少なくとも一方を含むこともできる。この第２オーディオデコードパラメータは、例えば、オーディオデジットなどといった他のパラメータをさらに含まれてもよいのは当たり前であり、本実施例に限定されない。
【００６４】
また、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得し、当該第１サンプリング周波数が当該第２サンプリング周波数より大きい場合に、当該サードパーティ端末を変換能力が大きいデバイスとして決まり、当該第１サンプリング周波数が当該第２サンプリング周波数より小さい場合に、当該分離型本体を変換能力が大きいデバイスとして決まる。
【００６５】
サンプリング周波数とは、秒間あたりオーディオサンプルを取得する回数である。このサンプリング周波数は、３２Ｋｈｚや４８Ｋｈｚ、９６Ｋｈｚなどであってよいが、本実施例に限定されない。
【００６６】
デバイスのサンプリング周波数が大きいほど、オーディオ情報を再生するオーディオ再生効果が良いので、サンプリング周波数が大きいデバイスが変換能力が大きいデバイスとして決まってもよい。
【００６７】
同様に、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得し、当該第１サウンドチャネル個数が当該第２サウンドチャネル個数より大きい場合に、当該サードパーティ端末を変換能力が大きいデバイスとして決まり、当該第１サウンドチャネル個数が当該第２サウンドチャネル個数より小さい場合に、当該分離型本体を変換能力が大きいデバイスとして決まる。
【００６８】
サウンドチャネル個数とは、オーディオ再生をサポートするサウンドチャンネルの数である。このサウンドチャネル個数は、モノサウンドチャンネルや４サウンドチャンネル、５サウンドチャンネルなどであってよいが、本実施例に限定されない。
【００６９】
デバイスのサウンドチャネル個数が多いほど、デバイスのS/N比が高く、S/N比が高いほど、デバイスに生じるノイズが少なく、オーディオ情報を再生するオーディオ再生効果がより良いので、サウンドチャネル個数が多いデバイスが変換能力が大きいデバイスとして決まってもよい。
【００７０】
同様に、当該第１個数と当該第２個数が等しい場合に、当該第１オーディオデコードパラメータと当該第２オーディオデコードパラメータの夫々に、サンプリング周波数とサウンドチャネル個数がさらに含まれていると、第１サンプリング周波数と第２サンプリング周波数を取得し、当該第１サンプリング周波数が当該第２サンプリング周波数より大きい場合に、当該サードパーティ端末を変換能力が大きいデバイスとして決まり、当該第１サンプリング周波数が当該第２サンプリング周波数より小さい場合に、当該分離型本体が変換能力の大きいデバイスとして決まる。第１サンプリング周波数と第２サンプリング周波数とが同じ場合に、第１サウンドチャネル個数と第２サウンドチャネル個数を引き続いて取得し、当該第１サウンドチャネル個数が当該第２サウンドチャネル個数より大きい場合に、当該サードパーティ端末が変換能力の大きいデバイスとして決まり、当該第１サウンドチャネル個数が当該第２サウンドチャネル個数より小さい場合に、当該分離型本体が変換能力の大きいデバイスとして決まる。
【００７１】
この第１オーディオデコードパラメータと第２オーディオデコードパラメータは、サンプリング周波数とサウンドチャネル個数をさらに含む場合に、まず、第１サウンドチャネル個数と第２サウンドチャネル個数を取得し、当該第１サウンドチャネル個数が当該第２サウンドチャネル個数より大きい場合に、当該サードパーティ端末が変換能力の大きいデバイスとして決まり、当該第１サウンドチャネル個数が当該第２サウンドチャネル個数より小さい場合に、当該分離型本体が変換能力の大きいデバイスとして決まり、第１サウンドチャネル個数と第２サウンドチャネル個数とが同じ場合に、第１サンプリング周波数と第２サンプリング周波数を引き続いて取得し、当該第１サンプリング周波数が当該第２サンプリング周波数より大きい場合に、当該サードパーティ端末が変換能力の大きいデバイスとして決まり、当該第１サンプリング周波数が当該第２サンプリング周波数より小さい場合に、当該分離型本体が変換能力の大きいデバイスとして決まってもよいのは当たり前である。本実施例に限定されない。
【００７２】
さらに、第１個数と第２個数とが同じ場合に、この第１オーディオデコードパラメータと第２オーディオデコードパラメータには、オーディオデコード方式だけが含まれていると、この分離型本体は、オーディオ情報をデコードする全てのオーディオデコード方式について、デコード効果の良否によってソートして得られた第１デコード順序に基づき、変換能力が大きいデバイスを選択してもよい。
【００７３】
そして、この分離型本体においては、第１オーディオデコードパラメータと第２オーディオデコードパラメータを取得し、かつ、この分離型本体に第１デコード順序が予め記憶されている場合に、第１デコード順序で第１オーディオデコードパラメータに含まれているオーディオデコード方式のソート位置、及び第１デコード順序で第２オーディオデコードパラメータに含まれているオーディオデコード方式のソート位置を特定し、第１デコード順序がデコード効果によって優れたものから悪いものまでとなるようにソートして得られたものであると、ソート位置の最もフロントになるオーディオデコード方式に対応するデバイスを変換能力が大きいデバイスとして決定し、第１デコード順序がデコード効果によって悪いものから優れたものまでとなるようにソートして得られたものであると、ソート位置の最もバックになるオーディオデコード方式に対応するデバイスを変換能力が大きいデバイスとして決定する。第１オーディオデコードパラメータと第２オーディオデコードパラメータが同じオーディオデコード方式を含む場合に、この分離型本体は、第１オーディオデコードパラメータと第２オーディオデコードパラメータとの異なるオーディオデコード方式を取得し、第１デコード順序がデコード効果によって優れたものから悪いものまでとなるようにソートして得られたものであると、異なるオーディオデコード方式のうち、ソート位置が最もフロントになるオーディオデコード方式に対応するデバイスを変換能力が大きいデバイスとして決定し、第１デコード順序がデコード効果によって悪いものから優れたものまでとなるようにソートして得られたものであると、異なるオーディオデコード方式のうち、ソート位置の最もバックになるオーディオデコード方式に対応するデバイスを変換能力が大きいデバイスとして決定する。
【００７４】
また、第１デコード順序が分離型本体で予め記憶されている場合に、この分離型本体は、上述した方法によって変換能力が大きいデバイスを選択してよいだけでなく、第１デコード順序に基づき、第１オーディオデコードパラメータに含まれているオーディオデコード方式と第２オーディオデコードパラメータに含まれているオーディオデコード方式とを一つずつ比較し、第１デコード順序がオーディオ情報をデコードする全てのオーディオデコード方式について、デコード効果の良否によってソートして得られるものであるので、デコード効果が最も優れているオーディオデコード方式に対応するデバイスが変換能力が大きいデバイスとして決まる。同様に、第１オーディオデコードパラメータと第２オーディオデコードパラメータがオーディオデコード方式を含む場合に、この分離型本体は、異なるオーディオデコード方式を比較して、デコード効果が最も優れているオーディオデコード方式に対応するデバイスを変換能力が大きいデバイスとして決定する。
【００７５】
例えば、第１デコード順序がデコード効果によって優れたものから悪いものまでとなるようにソートされて得られ、かつ、分離型本体に記憶されている第１デコード順序がＤＴＳ、ＡＣ３、ＰＣＭ、ＬＰＣのようになり、第１オーディオデコードパラメータに含まれているオーディオデコード方式がＰＣＭとＡＣ３であり、第２オーディオデコードパラメータに含まれているオーディオデコード方式がＰＣＭとＬＰＣである場合に、第１オーディオデコードパラメータと第２オーディオデコードパラメータとの夫々には、オーディオデコード方式ＰＣＭが含まれているので、この分離型本体は、第１デコード順序に基づき、ＡＣ３とＬＰＣとのみを比較して、ＡＣ３のデコード効果がＬＰＣのデコード効果より優れたことを決定することにより、サードパーティ端末を変換能力が大きいデバイスとして決定することができる。
【００７６】
また、この分離型本体は、直接的にデコード効果によって、第１オーディオデコードパラメータに含まれているオーディオデコード方式と第２オーディオデコードパラメータに含まれているオーディオデコード方式についてソートして第２デコード順序を得てもよい。その後、この分離型本体は、この第２デコード順序に基づき、デコード効果が最も優れているオーディオデコード方式に対応するデバイスを変換能力が大きいデバイスとして決定する。同様に、第１オーディオデコードパラメータと第２オーディオデコードパラメータが同じオーディオデコード方式を含む場合に、この分離型本体は、第１オーディオデコードパラメータと第２オーディオデコードパラメータとの異なるオーディオデコード方式を取得し、デコード効果によって異なるオーディオデコード方式についてソートし、デコード効果が最も優れているオーディオデコード方式に対応するデバイスを変換能力が大きいデバイスとして決定する。
【００７７】
この第１デコード順序は、分離型本体に予め記憶されていってもよいが、本実施例に限定されないようにする。
【００７８】
また、第１デコード順序は、オーディオデコード方式についてソートする方式がデコード効果によって優れたものから悪いものまでになるようにソートするものであってよいが、デコード効果によって悪いものから優れたものまでになるようにソートするものであってもよく、本実施例に限定されない。同様に、第２デコード順序は、オーディオデコード方式についてソートする方式がデコード効果によって優れたものから悪いものまでになるようにソートするものであってよいが、デコード効果によって悪いものから優れたものまでになるようにソートするものであってもよく、本実施例にも限定されない。
【００７９】
この分離型本体は、オーディオデコード方式に必要となる周波数帯の範囲によってデコード効果の良否を特定することにより、デコード効果によってソートしてよいが、他の方法でデコード効果の良否を特定することにより、ソートしてもよく、本実施例に限定されない。
【００８０】
また、分離型本体とサードパーティ端末との変換能力が同じ場合に、この分離型本体は、分離型本体自身とサードパーティ端末とのうち、一つのデバイスをランダムに選択してよいが、本実施例に限定されない。
【００８１】
さらに、この分離型本体は、この第１オーディオデコードパラメータと第２オーディオデコードパラメータに基づき、このサードパーティ端末と分離型本体とのうち、変換能力が大きいオーディオデコードパラメータに対応するデバイスを選択された前に、この分離型本体自分のＥＤＩＤを読み取り、当該ＥＤＩＤから当該第２オーディオデコードパラメータを取得する。
【００８２】
分離型本体がこの分離型本体自分のＥＤＩＤから第２オーディオデコードパラメータを取得する方法については、分離型本体が第１オーディオデコードパラメータを取得する方法を参照としてよいが、ここでは詳述しない。
【００８３】
ステップ４０３において、選択されたデバイスによってオーディオ再生を行う。
【００８４】
この分離型本体に、サードパーティ端末以外、一つのサードパーティ再生ソースが接続されていることができる。そこで、当該分離型本体に接続されているサードパーティ再生ソースもオーディオ再生機能を有する場合に、当該分離型本体は、当該サードパーティ再生ソースのオーディオデコードパラメータである第３オーディオデコードパラメータを取得し、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択してよい。
【００８５】
この分離型本体が第３オーディオデコードパラメータを取得する動作について、上述のような分離型本体が第１オーディオデコードパラメータを取得する動作を参照としてよいが、ここでは詳述しない。
【００８６】
また、この分離型本体は、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択する方法について、上述したステップ４０２を参照としてよいが、ここでは詳述しない。
【００８７】
当該サードパーティオーディオソースとは、オーディオ情報を再生するソースである。このサードパーティ再生ソースは、ディスクプレーヤーやミュジックプレーヤーなどであってよいが、本実施例に限定されない。
【００８８】
また、この分離型本体には、複数のオーディオ再生機能を有するデバイスが接続されていることができる。この分離型本体は、分離型本体自分と複数のデバイスとを一つずつ比較することにより、変換能力が大きいデバイス、すなわち、再生効果の最適なデバイスが選択されてオーディオを再生してよいが、本実施例に限定されない。
【００８９】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００９０】
図５は、例示性の実施例による第１のオーディオ再生装置を示すブロック図である。図５を参照として、この装置は、第１取得モジュール５０１と、選択モジュール５０２と、再生モジュール５０３とを含む。
【００９１】
第１取得モジュール５０１は、分離型本体に接続されているサードパーティ端末のオーディオデコードパラメータであって、デジタルオーディオ信号をアナログオーディオ信号に変換する変換能力を示すための第１オーディオデコードパラメータを取得するためのものである。
【００９２】
選択モジュール５０２は、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択するためのものである。
【００９３】
再生モジュール５０３は、選択されたデバイスによってオーディオ再生を行うためのものである。
【００９４】
当該第１オーディオデコードパラメータと当該第２オーディオデコードパラメータとの夫々は、少なくともオーディオデコード方式を含む。
【００９５】
本発明の他の実施例において、当該第１オーディオデコードパラメータと第２オーディオデコードパラメータとの夫々は、サンプリング周波数とサウンドチャネル個数のうち、少なくとも一方をさらに含む。
【００９６】
本発明の他の実施例において、図６を参照して、当該選択モジュール５０２において：
当該第１オーディオデコードパラメータに含まれているオーディオデコード方式の個数である第１個数と当該第２オーディオデコードパラメータに含まれているオーディオデコード方式の個数である第２個数を特定するための第１特定ユニット５０２１と、
当該第１個数が当該第２個数より大きい場合に、当該サードパーティ端末を変換能力が大きいデバイスとして決まるための第２特定ユニット５０２２と、
当該第１個数が当該第２個数より小さい場合に、当該分離型本体を変換能力が大きいデバイスとして決まるための第３特定ユニット５０２３と、を含む。
【００９７】
本発明の他の実施例において、図７を参照して、当該選択モジュール５０２において：
当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するための第１取得ユニット５０２４と、
当該第１サンプリング周波数が当該第２サンプリング周波数より大きい場合に、当該サードパーティ端末を変換能力が大きいデバイスとして決まるための第４特定ユニット５０２５と、
当該第１サンプリング周波数が当該第２サンプリング周波数より小さい場合に、当該分離型本体を変換能力が大きいデバイスとして決まるための第５特定ユニット５０２６と、をさらに含む。
【００９８】
本発明の他の実施例において、図８を参照して、当該選択モジュールにおいて：
当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するための第２取得ユニット５０２７と、
当該第１サウンドチャネル個数が当該第２サウンドチャネル個数より大きい場合に、当該サードパーティ端末を変換能力が大きいデバイスとして決まるための第６特定ユニット５０２８と、
当該第１サウンドチャネル個数が当該第２サウンドチャネル個数より小さい場合に、当該分離型本体を変換能力が大きいデバイスとして決まるための第７特定ユニット５０２９と、をさらに含む。
【００９９】
本発明の他の実施例において、図９を参照して、当該第１取得モジュール５０１において、
所定のインタフェースを介して当該サードパーティ端末の拡張表示識別データＥＤＩＤを読み取るための読取ユニット５０１１と、
当該サードパーティ端末のＥＤＩＤから当該第１オーディオデコードパラメータを取得するための第３取得ユニット５０１２と、を含む。
【０１００】
本発明の他の実施例において、図１０を参照して、当該第３取得ユニット５０１２において、
所定の経路に介して、当該サードパーティ端末のＥＤＩＤデータファイルを取得するための第１取得サブユニット５０１２１と、
当該データファイルから当該第１オーディオデコードパラメータを取得するための第２取得サブユニット５０１２２と、を含む。
【０１０１】
本発明の他の実施例において、図１１を参照して、当該装置において、
当該分離型本体のＥＤＩＤを読み取るための読取モジュール５０４と、
当該分離型本体のＥＤＩＤから当該第２オーディオデコードパラメータを取得するための第２取得モジュール５０５と、を含む。
【０１０２】
本発明の他の実施例において、図１２を参照して、当該選択モジュール５０２において、
当該分離型本体にオーディオ再生機能を有するサードパーティ再生ソースが接続されている場合に、当該サードパーティ再生ソースのオーディオデコードパラメータである第３オーディオデコードパラメータを取得するための第４取得ユニット５０２１０と、
当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するための選択ユニット５０２１１と、を含む。
【０１０３】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【０１０４】
上述した実施例における装置について、各モジュールが動作する形態がその装置に関する方法の実施例で説明したが、ここで詳細な説明を省略する。
【０１０５】
図１３は他の例示的実施例に係るポジショニング装置１３００を示すブロック図である。例えば、装置１３００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０６】
図１３を参照すると、装置１３００は、処理ユニット１３０２、メモリ１３０４、電源ユニット１３０６、マルチメディアユニット１３０８、オーディオユニット１３１０、入力/出力（Ｉ/Ｏ）インターフェース１３１２、センサーユニット１３１４、及び通信ユニット１３１６からなる群から選ばれる少なくとも１つを有してもよい。
【０１０７】
処理ユニット１３０２は、一般的には、装置１３００の全体の操作、例えば、表示、電話呼び出し、データ通信、カメラ操作及び記録操作に関連する操作を制御する。処理ユニット１３０２は、上述した方法におけるステップの一部又は全部を実現できるように、命令を実行する少なくとも１つのプロセッサー１３２０を有してもよい。また、処理ユニット１３０２は、他のユニットとのインタラクションの便宜を図るように、少なくとも１つのモジュールを有してもよい。例えば、処理ユニット１３０２は、マルチメディアユニット１３０８とのインタラクションの便宜を図るように、マルチメディアモジュールを有してもよい。
【０１０８】
メモリ１３０４は、装置１３００での操作をサポートするように、各種のデータを記憶するように配置される。これらのデータは、例えば、装置１３００で何れのアプリケーション又は方法を操作するための命令、連絡先データ、電話帳データ、メッセージ、画像、ビデオ等を含む。メモリ１３０４は、何れの種類の揮発性又は不揮発性メモリ、例えば、ＳＲＡＭ（Static Random Access Memory）、ＥＥＰＲＯＭ（Electrically Erasable Programmable Read-Only Memory）、ＥＰＲＯＭ（Erasable Programmable Read Only Memory）、ＰＲＯＭ（Programmable ROM）、ＲＯＭ（Read Only Memory）、磁気メモリ、フラッシュメモリ、磁気ディスク、或いは光ディスクにより、或いはそれらの組み合わせにより実現することができる。
【０１０９】
電源ユニット１３０６は、装置１３００の各種ユニットに電力を供給するためのものであり、電源管理システム、１つ又は複数の電源、及び装置１３００のために電力を生成、管理及び分配することに関連する他のユニットを有してもよい。
【０１１０】
マルチメディアユニット１３０８は、装置１３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１３０８は、フロントカメラ及び/又はバックカメラを有してもよい。装置１３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
オーディオユニット１３１０は、オーディオ信号を出力及び/又は入力するように配置される。例えば、オーディオユニット１３１０は、マイクロフォン（ＭｉＣ）を有してもよい。装置１３００が、例えば、呼び出しモード、記録モード、又は音声認識モードのような操作モードにあるとき、マイクロフォンは、外部のオーディオ信号を受信するように配置される。受信したオーディオ信号は、メモリ１３０４にさらに記憶されてもよいし、通信ユニット１３１６を介して送信されてもよい。一実施例では、オーディオユニット１３１０は、オーディオ信号を出力するためのスピーカをさらに有してもよい。
【０１１１】
Ｉ/Ｏインターフェース１３１２は、処理ユニット１３０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１２】
センサーユニット１３１４は、装置１３００のために各方面の状態を評価する少なくとも１つのセンサーを有してもよい。例えば、センサーユニット１３１４は、装置１３００のオン/オフ状態や、ユニットの相対的な位置を検出することができる。例えば、当該ユニットは、装置１３００のディスプレイ及びキーパッドである。センサーユニット１３１４は、装置１３００又は装置１３００の１つのユニットの位置の変化、ユーザーによる装置１３００への接触の有無、装置１３００の方向又は加速/減速、装置１３００の温度変化などを検出することができる。センサーユニット１３１４は、何れの物理的な接触もない場合に付近の物体を検出するように配置される近接センサーを有してもよい。センサーユニット１３１４は、イメージングアプリケーションに用いるための光センサー、例えば、ＣＭＯＳ又はＣＣＤ画像センサーを有してもよい。一実施例では、当該センサーユニット１３１４は、加速度センサー、ジャイロスコープセンサー、磁気センサー、圧力センサー又は温度センサーをさらに有してもよい。
【０１１３】
通信ユニット１３１６は、装置１３００と他の設備の間との無線又は有線通信の便宜を図るように配置される。装置１３００は、例えば、ＷｉＦｉ、２Ｇ又は３Ｇ、又はそれらの組み合わせの通信標準に基づく無線ネットワークにアクセスできる。１つの例示的な実施例では、通信ユニット１３１６は、ブロードキャストチャンネルを介して外部のブロードキャスト管理システムからのブロードキャスト信号又はブロードキャストに関する情報を受信する。１つの例示的な実施例では、当該通信ユニット１３１６は、近距離通信を促進するために近距離無線通信（ＮＦＣ）モジュールをさらに有してもよい。例えば、ＮＦＣモジュールは、無線周波数認識（ＲＦＩＤ：Radio Frequency IDentification）技術、赤外線データ協会（ＩｒＤＡ：Infrared Data Association）技術、超広帯域無線（ＵＷＢ：Ultra Wide Band）技術、ブルートゥース（ＢＴ：Bluetooth）（登録商標）技術及び他の技術によって実現されてもよい。
【０１１４】
例示的な実施例では、装置１３００は、上述した方法を実行するために、１つ又は複数の特定用途向け集積回路（ＡＳＩＣ：Application Specific Integrated Circuit）、デジタル信号プロセッサー（ＤＳＰ：Digital Signal Processor）、デジタル信号処理デバイス（ＤＳＰＤ：Digital Signal Processing Device）、プログラマブルロジックデバイス（ＰＬＤ：Programmable Logic Device）、書替え可能ゲートアレイ（ＦＰＧＡ：Field-Programmable Gate Array）、コントローラ、マイクロコントローラ、マイクロプロセッサー、又は他の電子機器によって実現されてもよい。
【０１１５】
例示的な実施例では、命令を有する非一時的コンピュータ読み取り可能な記録媒体、例えば、命令を有するメモリ１３０４をさらに提供する。この命令は、装置１３００のプロセッサー１３２０により実行されて上述した方法を実現する。例えば、当該非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１１６】
非一時的コンピュータ読み取り可能な記録媒体は、当該記録媒体における命令が端末のプロセッサーにより実行されると、端末がオーディオ再生方法を実行するようにする。当該方法において、分離型本体に接続されているサードパーティ端末のオーディオデコードパラメータであって、デジタルオーディオ信号をアナログオーディオ信号に変換する変換能力を示すための第１オーディオデコードパラメータを取得するステップと、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択するステップと、選択されたデバイスによってオーディオ再生を行うステップと、を含む。当該第１オーディオデコードパラメータと当該第２オーディオデコードパラメータとの夫々は、少なくともオーディオデコード方式を含む。
【０１１７】
本発明の他の実施例において、当該第１オーディオデコードパラメータと第２オーディオデコードパラメータとの夫々は、サンプリング周波数とサウンドチャネル個数のうち、少なくとも一方をさらに含む。
【０１１８】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該第１オーディオデコードパラメータに含まれているオーディオデコード方式の個数である第１個数と当該第２オーディオデコードパラメータに含まれているオーディオデコード方式の個数である第２個数を特定するステップと、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるステップと、を含む。
【０１１９】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するステップと、当該第１サンプリング周波数が当該第２サンプリング周波数より大きい場合に、当該サードパーティ端末を変換能力が大きいデバイスとして決まるステップと、当該第１サンプリング周波数が当該第２サンプリング周波数より小さい場合に、当該分離型本体を変換能力が大きいデバイスとして決まるステップと、をさらに含む。
【０１２０】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するステップと、当該第１サウンドチャネル個数が当該第２サウンドチャネル個数より大きい場合に、当該サードパーティ端末を変換能力が大きいデバイスとして決まるステップと、当該第１サウンドチャネル個数が当該第２サウンドチャネル個数より小さい場合に、当該分離型本体を変換能力が大きいデバイスとして決まるステップと、をさらに含む。
【０１２１】
本発明の他の実施例において、当該第１オーディオデコードパラメータを取得するステップは、所定のインタフェースを介して当該サードパーティ端末の拡張表示識別データＥＤＩＤを読み取るステップと、当該サードパーティ端末のＥＤＩＤから当該第１オーディオデコードパラメータを取得するステップと、を含む。
【０１２２】
本発明の他の実施例において、当該当該サードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
本発明の他の実施例において、当該第１オーディオデコードパラメータ及び第２オーディオデコードパラメータに基づき、当該サードパーティ端末と当該分離型本体のうち、変換能力が大きいオーディオデコードパラメータがあるデバイスを選択するステップの前には、当該分離型本体のＥＤＩＤを読み取るステップと、当該分離型本体のＥＤＩＤから当該第２オーディオデコードパラメータを取得するステップと、を含む。
【０１２３】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該分離型本体にオーディオ再生機能を有するサードパーティ再生ソースが接続されている場合に、当該サードパーティ再生ソースのオーディオデコードパラメータである第３オーディオデコードパラメータを取得するステップと、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するステップと、を含む。
【０１２４】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【０１２５】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【０１２６】
本発明は、上記で記述され、図面で図示した特定の構成に限定されず、その範囲を逸脱しない範囲で、様々な修正や変更を行うとができる。本発明の範囲は、添付される特許請求の範囲のみにより限定される。
【図１】
2018509007.tif 000003
【図２】
2018509007.tif 000004
【図３】
2018509007.tif 000005
【図４】
2018509007.tif 000006
【図５】
2018509007.tif 000007
【図６】
2018509007.tif 000008
【図７】
2018509007.tif 000009
【図８】
2018509007.tif 000010
【図９】
2018509007.tif 000011
【図１０】
2018509007.tif 000012
【図１１】
2018509007.tif 000013
【図１２】
2018509007.tif 000014
【図１３】
2018509007.tif 000015
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
分離型本体に接続されているサードパーティ端末のオーディオデコードパラメータであって、デジタルオーディオ信号をアナログオーディオ信号に変換する変換能力を示すための第１オーディオデコードパラメータを取得するステップと、
前記分離型本体のオーディオデコードパラメータを第２オーディオデコードパラメータとして、前記第１オーディオデコードパラメータ及び前記第２オーディオデコードパラメータに基づき、前記サードパーティ端末と前記分離型本体のうち、変換能力が大きいデバイスを選択するステップと、
選択されたデバイスによってオーディオ再生を行うステップと、を含み、
前記第１オーディオデコードパラメータと前記第２オーディオデコードパラメータとの夫々は、少なくともオーディオデコード方式を含むことを特徴とするオーディオ再生方法。
【請求項２】
前記第１オーディオデコードパラメータと前記第２オーディオデコードパラメータとの夫々は、サンプリング周波数とサウンドチャンネル個数のうち、少なくとも一方をさらに含むことを特徴とする請求項１に記載の方法。
【請求項３】
前記第１オーディオデコードパラメータ及び前記第２オーディオデコードパラメータに基づき、前記サードパーティ端末と前記分離型本体のうち、変換能力が大きいデバイスを選択するステップは、
前記第１オーディオデコードパラメータに含まれているオーディオデコード方式の個数である第１個数と前記第２オーディオデコードパラメータに含まれているオーディオデコード方式の個数である第２個数を特定するステップと、
前記第１個数が前記第２個数より大きい場合に、前記サードパーティ端末を変換能力が大きいデバイスとして決まるステップと、
前記第１個数が前記第２個数より小さい場合に、前記分離型本体を変換能力が大きいデバイスとして決まるステップと、を含むことを特徴とする請求項１に記載の方法。
【請求項４】
前記第１個数と前記第２個数を特定するステップの後には、
前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するステップと、
前記第１サンプリング周波数が前記第２サンプリング周波数より大きい場合に、前記サードパーティ端末を変換能力が大きいデバイスとして決まるステップと、
前記第１サンプリング周波数が前記第２サンプリング周波数より小さい場合に、前記分離型本体を変換能力が大きいデバイスとして決まるステップと、をさらに含むことを特徴とする請求項３に記載の方法。
【請求項５】
前記第１個数と前記第２個数を特定するステップの後には、
前記第１個数と前記第２個数が等しい場合に、前記第１オーディオデコードパラメータと前記第２オーディオデコードパラメータの夫々に、サウンドチャンネル個数がさらに含まれていると、前記第１オーディオデコードパラメータに含まれているサウンドチャンネル個数である第１サウンドチャンネル個数と前記第２オーディオデコードパラメータに含まれているサウンドチャンネル個数である第２サウンドチャンネル個数を取得するステップと、
前記第１サウンドチャンネル個数が前記第２サウンドチャンネル個数より大きい場合に、前記サードパーティ端末を変換能力が大きいデバイスとして決まるステップと、
前記第１サウンドチャンネル個数が前記第２サウンドチャネル個数より小さい場合に、前記分離型本体を変換能力が大きいデバイスとして決まるステップと、をさらに含むことを特徴とする請求項３に記載の方法。
【請求項６】
前記第１オーディオデコードパラメータを取得するステップは、
所定のインタフェースを介して前記サードパーティ端末の拡張表示識別データＥＤＩＤを読み取るステップと、
前記サードパーティ端末のＥＤＩＤから前記第１オーディオデコードパラメータを取得するステップと、を含むことを特徴とする請求項１ないし請求項５のいずれか１項に記載の方法。
【請求項７】
前記サードパーティ端末のＥＤＩＤから前記第１オーディオデコードパラメータを取得するステップは、
所定の経路を介して、前記サードパーティ端末のＥＤＩＤからデータファイルを取得するステップと、
前記データファイルから前記第１オーディオデコードパラメータを取得するステップと、を含むことを特徴とする請求項６に記載の方法。
【請求項８】
前記前記第１オーディオデコードパラメータ及び前記第２オーディオデコードパラメータに基づき、前記サードパーティ端末と前記分離型本体のうち、変換能力が大きいオーディオデコードパラメータがあるデバイスを選択するステップの前には、
前記分離型本体のＥＤＩＤを読み取るステップと、
前記分離型本体のＥＤＩＤから前記第２オーディオデコードパラメータを取得するステップと、を含むことを特徴とする請求項１ないし７のいずれか１項に記載の方法。
【請求項９】
前記第１オーディオデコードパラメータ及び前記第２オーディオデコードパラメータに基づき、前記サードパーティ端末と前記分離型本体のうち、変換能力が大きなデバイスを選択するステップは、
前記分離型本体にオーディオ再生機能を有するサードパーティ再生ソースが接続接続されている場合に、前記サードパーティ再生ソースのオーディオデコードパラメータである第３オーディオデコードパラメータを取得するステップと、
前記第１オーディオデコードパラメータと、前記第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するステップと、を含むことを特徴とする請求項１ないし８のいずれか１項に記載の方法。
【請求項１０】
分離型本体に接続されているサードパーティ端末のオーディオデコードパラメータであって、デジタルオーディオ信号をアナログオーディオ信号に変換する変換能力を示すための第１オーディオデコードパラメータを取得するための第１取得モジュールと、
前記分離型本体のオーディオデコードパラメータを第２オーディオデコードパラメータとして、前記第１オーディオデコードパラメータ及び前記第２オーディオデコードパラメータに基づき、前記サードパーティ端末と前記分離型本体のうち、変換能力が大きいデバイスを選択するための選択モジュールと、
選択されたデバイスによってオーディオ再生を行うための再生モジュールと、を含み、
前記第１オーディオデコードパラメータと前記第２オーディオデコードパラメータとの夫々は、少なくとも少なくともオーディオデコード方式を含むことを特徴とするオーディオ再生装置。
【請求項１１】
前記第１オーディオデコードパラメータと前記第２オーディオデコードパラメータとの夫々は、サンプリング周波数とサウンドチャンネル個数のうち、少なくとも一方をさらに含むことを特徴とする請求項１０に記載の装置。
【請求項１２】
前記選択モジュールは、
前記第１オーディオデコードパラメータに含まれているオーディオデコード方式の個数である第１個数と前記第２オーディオデコードパラメータに含まれているオーディオデコード方式の個数である第２個数を特定するための第１特定ユニットと、
前記第１個数が前記第２個数より大きい場合に、前記サードパーティ端末を変換能力が大きいデバイスとして決まるための第２特定ユニットと、
前記第１個数が前記第２個数より小さい場合に、前記分離型本体を変換能力が大きいデバイスとして決まるための第３特定ユニットと、を含むことを特徴とする請求項１０に記載の装置。
【請求項１３】
前記選択モジュールは、
前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するための第１取得ユニットと、
前記第１サンプリング周波数が前記第２サンプリング周波数より大きい場合に、前記サードパーティ端末を変換能力が大きいデバイスとして決まるための第４特定ユニットと、
前記第１サンプリング周波数が前記第２サンプリング周波数より小さい場合に、前記分離型本体を変換能力が大きいデバイスとして決まるための第５特定ユニットと、をさらに含むことを特徴とする請求項１２に記載の装置。
【請求項１４】
前記選択モジュールは、
前記第１個数と前記第２個数が等しい場合に、前記第１オーディオデコードパラメータと前記第２オーディオデコードパラメータの夫々に、サウンドチャンネル個数がさらに含まれていると、前記第１オーディオデコードパラメータに含まれているサウンドチャンネル個数である第１サウンドチャンネル個数と前記第２オーディオデコードパラメータに含まれているサウンドチャンネル個数である第２サウンドチャンネル個数を取得するための第２取得ユニットと、
前記第１サウンドチャンネル個数が前記第２サウンドチャンネル個数より大きい場合に、前記サードパーティ端末を変換能力が大きいデバイスとして決まるための第６特定ユニットと、
前記第１サウンドチャンネル個数が前記第２サウンドチャンネル個数より小さい場合に、前記分離型本体を変換能力が大きいデバイスとして決まるための第７特定ユニットと、をさらに含むことを特徴とする請求項１２に記載の装置。
【請求項１５】
前記第１取得モジュールは、
所定のインタフェースを介して前記サードパーティ端末の拡張表示識別データＥＤＩＤを読み取るための読取ユニットと、
前記サードパーティ端末のＥＤＩＤから前記第１オーディオデコードパラメータを取得するための第３取得ユニットと、を含むことを特徴とする請求項１０ないし１４のいずれか１項に記載の装置。
【請求項１６】
前記第３取得ユニットは、
所定の経路を介して、前記サードパーティ端末のＥＤＩＤからデータファイルを取得するための第１取得サブユニットと、
前記データファイルから前記第１オーディオデコードパラメータを取得するための第２取得サブユニットと、含むことを特徴とする請求項１５に記載の装置。
【請求項１７】
前記装置は、
前記分離型本体のＥＤＩＤを読み取るための読取モジュールと、
前記分離型本体のＥＤＩＤから前記第２オーディオデコードパラメータを取得するための第２取得モジュールと、を含むことを特徴とする請求項１０ないし１６のいずれか１項に記載の装置。
【請求項１８】
前記選択モジュールは、
前記分離型本体にオーディオ再生機能を有するサードパーティ再生ソースが接続接続されている場合に、前記サードパーティ再生ソースのオーディオデコードパラメータである第３オーディオデコードパラメータを取得するための第４取得ユニットと、
前記第１オーディオデコードパラメータと、前記第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するための選択ユニットと、を含むことを特徴とする請求項１０ないし１７のいずれか１項に記載の装置。
【請求項１９】
プロセッサーと、
プロセッサーに実行可能の指令を記憶するためのメモリと、を含み、
前記プロセッサーは、
分離型本体に接続されているサードパーティ端末のオーディオデコードパラメータであって、デジタルオーディオ信号をアナログオーディオ信号に変換する変換能力を示すための第１オーディオデコードパラメータを取得し、
前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力が大きいデバイスを選択し、
選択されたデバイスによってオーディオ再生を行うように配置され、
前記第１オーディオデコードパラメータと前記第２オーディオデコードパラメータとの夫々は、少なくともオーディオデコード方式を含むことを特徴とするオーディオ再生装置。
【請求項２０】
プロセッサーに実行されることにより、請求項１ないし９のいずれか１項に記載されている方法を実現することを特徴とするプログラム。
【請求項２１】
請求項２０に記載されているプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【技術分野】
【０００１】
本出願は、出願番号が２０１５１０９８０３２０．２であって、出願日が２０１５年１２月２３日である中国特許出願に基づき優先権を主張し、当該中国特許出願の内容の全てを本願に援用する。
【０００２】
本発明は、端末技術分野、特に、オーディオ再生方法、装置、プログラム、及び記録媒体に関する。
【背景技術】
【０００３】
分離型テレビとは、画像表示部と、信号処理部と、音声システムとが分離に設置されたテレビである。一般的に分離型テレビは、画像が表示されている分離型スクリーンと、自分の音響システムを有することで、信号の処理及び音声の出力を行う分離型本体とを含む。そして、分離型テレビは、ハードウェア構成のアップデート際に、分離型スクリーンがそのままとされ、分離型本体が直接に交換されて、ハードウェア構成をアップデートするコストが低下するので、より多くのユーザーは分離型テレビを利用し始める。
【発明の概要】
【発明が解決しようとする課題】
【０００４】
現在、この分離型本体は、分離型スクリーンと合わせて用いられるだけでなく、サードパーティ端末に接続されてサードパーティ端末と合わせて用いられても良いことは言うまでもない。例えば、このサードパーティ端末は、サードパーティテレビ、ディスクプレーヤー、プレーヤーなどである。分離型本体自分の音響システムは、オーディオを再生できるとともに、分離型本体に接続されているサードパーティ端末もオーディオを再生できる。しかし、一般的にオーディオ情報は、一つしかのデバイスにより再生することができない。このため、分離型本体にサードパーティ端末が接続されている場合にオーディオを再生する方法が要望されている。
【０００５】
本発明は、従来技術の問題点を解決するために、オーディオ再生方法、装置、プログラム、及び記録媒体を提供する。
【課題を解決するための手段】
【０００６】
本発明の実施例の第１局面によれば、分離型本体に接続されているサードパーティ端末のオーディオデコードパラメータであって、デジタルオーディオ信号をアナログオーディオ信号に変換する変換能力を示すための第１オーディオデコードパラメータを取得するステップと、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択するステップと、選択されたデバイスによってオーディオ再生を行うステップと、を含み、前記第１オーディオデコードパラメータと前記第２オーディオデコードパラメータとの夫々は、少なくともオーディオデコード方式を含むオーディオ再生方法を提供する。
【０００７】
第１局面によれば、上述した第１局面の第１の実施可能の形態において、前記第１オーディオデコードパラメータと第２オーディオデコードパラメータとの夫々は、サンプリング周波数とサウンドチャネル個数のうち、少なくとも一方をさらに含むオーディオ再生方法を提供する。
【０００８】
第１局面によれば、上述した第１局面の第２の実施可能の形態において、前記前記第１オーディオデコードパラメータ及び第２オーディオデコードパラメータに基づき、前記サードパーティ端末と前記分離型本体のうち、変換能力がより大きなデバイスを選択するステップは、前記第１オーディオデコードパラメータに含まれているオーディオデコード方式の個数である第１個数と前記第２オーディオデコードパラメータに含まれているオーディオデコード方式の個数である第２個数を特定するステップと、前記第１個数が前記第２個数より大きい場合に、前記サードパーティ端末を変換能力が大きいデバイスとして決まるステップと、前記第１個数が前記第２個数より小さい場合に、前記分離型本体を変換能力が大きいデバイスとして決まるステップと、を含む。
【０００９】
第１局面の第２の実施可能の形態によれば、上述した第１局面の第３の実施可能の形態において、前記第１個数と第２個数を特定するステップの後には、前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するステップと、前記第１サンプリング周波数が前記第２サンプリング周波数より大きい場合に、前記サードパーティ端末を変換能力が大きいデバイスとして決まるステップと、前記第１サンプリング周波数が前記第２サンプリング周波数より小さい場合に、前記分離型本体を変換能力が大きいデバイスとして決まるステップと、をさらに含む。
【００１０】
第１局面の第２の実施可能の形態によれば、上述した第１局面の第４の実施可能の形態において、前記第１個数と第２個数を特定するステップの後には、前記第１個数と前記第２個数が等しい場合に、前記第１オーディオデコードパラメータと前記第２オーディオデコードパラメータの夫々に、サウンドチャネル個数がさらに含まれていると、前記第１オーディオデコードパラメータに含まれているサウンドチャンネル個数である第１サウンドチャネル個数と前記第２オーディオデコードパラメータに含まれているサウンドチャンネル個数である第２サウンドチャネル個数を取得するステップと、前記第１サウンドチャネル個数が前記第２サウンドチャネル個数より大きい場合に、前記サードパーティ端末を変換能力が大きいデバイスとして決まるステップと、前記第１サウンドチャネル個数が前記第２サウンドチャネル個数より小さい場合に、前記分離型本体を変換能力が大きいデバイスとして決まるステップと、をさらに含む。
【００１１】
第１局面ないし第１局面の第４の実施可能の形態のうち、いずれの実施可能の形態によれば、上述した第１局面の第５の実施可能の形態において、前記第１オーディオデコードパラメータを取得するステップは、所定のインタフェースを介して前記サードパーティ端末のＥＤＩＤ（Extended Display Identification Data：拡張表示識別データ）を読み取るステップと、前記サードパーティ端末のＥＤＩＤから前記第１オーディオデコードパラメータを取得するステップと、を含む。
【００１２】
第１局面の第５の実施可能の形態によれば、上述した第１局面の第６の実施可能の形態において、前記前記サードパーティ端末のＥＤＩＤから前記第１オーディオデコードパラメータを取得するステップは、所定の経路に介して、前記サードパーティ端末のＥＤＩＤからデータファイルを取得するステップと、前記データファイルから前記第１オーディオデコードパラメータを取得するステップと、を含む。
【００１３】
第１局面ないし第１局面の第６の実施可能の形態のうち、いずれの実施可能の形態によれば、上述した第１局面の第７の実施可能の形態において、前記前記第１オーディオデコードパラメータ及び第２オーディオデコードパラメータに基づき、前記サードパーティ端末と前記分離型本体のうち、変換能力が大きいオーディオデコードパラメータがあるデバイスを選択するステップの前には、前記分離型本体のＥＤＩＤを読み取るステップと、前記分離型本体のＥＤＩＤから前記第２オーディオデコードパラメータを取得するステップと、を含む。
【００１４】
第１局面ないし第１局面の第７の実施可能の形態のうち、いずれの実施可能の形態によれば、上述した第１局面の第８の実施可能の形態において、前記前記第１オーディオデコードパラメータ及び第２オーディオデコードパラメータに基づき、前記サードパーティ端末と前記分離型本体のうち、変換能力がより大きなデバイスを選択するステップは、前記分離型本体にオーディオ再生機能を有するサードパーティ再生ソースが接続されている場合に、前記サードパーティ再生ソースのオーディオデコードパラメータである第３オーディオデコードパラメータを取得するステップと、前記第１オーディオデコードパラメータと、第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するステップと、を含む。
【００１５】
本発明の実施例の第２局面によれば、分離型本体に接続されているサードパーティ端末のオーディオデコードパラメータであって、デジタルオーディオ信号をアナログオーディオ信号に変換する変換能力を示すための第１オーディオデコードパラメータを取得するための第１取得モジュールと、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択するための選択モジュールと、選択されたデバイスによってオーディオ再生を行うための再生モジュールと、を含み、前記第１オーディオデコードパラメータと前記第２オーディオデコードパラメータとの夫々は、少なくともオーディオデコード方式を含むオーディオ再生装置を提供する。
【００１６】
第２局面によれば、上述した第２局面の第１の実施可能の形態において、前記第１オーディオデコードパラメータと第２オーディオデコードパラメータとの夫々は、サンプリング周波数とサウンドチャネル個数のうち、少なくとも一方をさらに含む。
【００１７】
第２局面によれば、上述した第２局面の第２の実施可能の形態において、前記選択モジュールにおいて、前記第１オーディオデコードパラメータに含まれているオーディオデコード方式の個数である第１個数と前記第２オーディオデコードパラメータに含まれているオーディオデコード方式の個数である第２個数を特定するための第１特定ユニットと、前記第１個数が前記第２個数より大きい場合に、前記サードパーティ端末を変換能力が大きいデバイスとして決まるための第２特定ユニットと、前記第１個数が前記第２個数より小さい場合に、前記分離型本体を変換能力が大きいデバイスとして決まるための第３特定ユニットと、を含む。
【００１８】
第２局面の第２の実施可能の形態によれば、上述した第２局面の第３の実施可能の形態において、前記選択モジュールにおいて、前記第１個数と前記第２個数が等しい場合に、前記第１オーディオデコードパラメータと前記第２オーディオデコードパラメータの夫々に、サンプリング周波数がさらに含まれていると、前記第１オーディオデコードパラメータに含まれているサンプリング周波数である第１サンプリング周波数と前記第２オーディオデコードパラメータに含まれているサンプリング周波数である第２サンプリング周波数を取得するための第１取得ユニットと、前記第１サンプリング周波数が前記第２サンプリング周波数より大きい場合に、前記サードパーティ端末を変換能力が大きいデバイスとして決まるための第４特定ユニットと、前記第１サンプリング周波数が前記第２サンプリング周波数より小さい場合に、前記分離型本体を変換能力が大きいデバイスとして決まるための第５特定ユニットと、をさらに含む。
【００１９】
第２局面の第２の実施可能の形態によれば、上述した第２局面の第４の実施可能の形態において、前記選択モジュールにおいて、前記第１個数と前記第２個数が等しい場合に、前記第１オーディオデコードパラメータと前記第２オーディオデコードパラメータの夫々に、サウンドチャネル個数がさらに含まれていると、前記第１オーディオデコードパラメータに含まれているサウンドチャンネル個数である第１サウンドチャネル個数と前記第２オーディオデコードパラメータに含まれているサウンドチャンネル個数である第２サウンドチャネル個数を取得するための第２取得ユニットと、前記第１サウンドチャネル個数が前記第２サウンドチャネル個数より大きい場合に、前記サードパーティ端末を変換能力が大きいデバイスとして決まるための第６特定ユニットと、前記第１サウンドチャネル個数が前記第２サウンドチャネル個数より小さい場合に、前記分離型本体を変換能力が大きいデバイスとして決まるための第７特定ユニットと、をさらに含む。
【００２０】
第２局面ないし第２局面の第４の実施可能の形態のうち、いずれの実施可能の形態によれば、上述した第２局面の第５の実施可能の形態において、前記第１取得モジュールにおいて、所定のインタフェースを介して前記サードパーティ端末の拡張表示識別データＥＤＩＤを読み取るための読取ユニットと、前記サードパーティ端末のＥＤＩＤから前記第１オーディオデコードパラメータを取得するための第３取得ユニットと、を含む。
【００２１】
第２局面の第５の実施可能の形態によれば、上述した第２局面の第６の実施可能の形態において、前記第３取得ユニットにおいて、所定の経路に介して、前記サードパーティ端末のＥＤＩＤからデータファイルを取得するための第１取得サブユニットと、前記データファイルから前記第１オーディオデコードパラメータを取得するための第２取得サブユニットと、含む。
【００２２】
第２局面ないし第２局面の第６の実施可能の形態のうち、いずれの実施可能の形態によれば、上述した第２局面の第７の実施可能の形態において、前記装置において、前記分離型本体のＥＤＩＤを読み取るための読取モジュールと、前記分離型本体のＥＤＩＤから前記第２オーディオデコードパラメータを取得するための第２取得モジュールと、を含む。
【００２３】
第２局面ないし第２局面の第７の実施可能の形態のうち、いずれの実施可能の形態によれば、上述した第２局面の第８の実施可能の形態において、前記選択モジュールにおいて、前記分離型本体にオーディオ再生機能を有するサードパーティ再生ソースが接続されている場合に、前記サードパーティ再生ソースのオーディオデコードパラメータである第３オーディオデコードパラメータを取得するための第４取得ユニットと、前記第１オーディオデコードパラメータと、第２オーディオデコードパラメータと、前記第３オーディオデコードパラメータとに基づき、前記サードパーティ端末と、前記分離型本体と、前記サードパーティ再生ソースとのうち、変換能力が大きなデバイスを選択するための選択ユニットと、を含む。
【００２４】
本発明の実施例の第３局面によれば、プロセッサーと、プロセッサーに実行可能の指令を記憶するためのメモリと、を含み、前記プロセッサーは、分離型本体に接続されているサードパーティ端末のオーディオデコードパラメータであって、デジタルオーディオ信号をアナログオーディオ信号に変換する変換能力を示すための第１オーディオデコードパラメータを取得し、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択し、選択されたデバイスによってオーディオ再生を行うように配置され、前記第１オーディオデコードパラメータと前記第２オーディオデコードパラメータとの夫々は、少なくともオーディオデコード方式を含むオーディオ再生装置を提供する。
【００２５】
本発明の実施例の第４局面によれば、プロセッサーに実行されることにより、上述した方法を実現することを特徴とするプログラムを提供する。
【００２６】
本発明の実施例の第５局面によれば、上述したプログラムが記録されたコンピュータ読取可能な記録媒体を提供する。
【００２７】
本発明の実施例に提供されている技術手段によって次のような有益な効果が得られる。本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００２８】
なお、前記一般的な記載及び後述の詳細な記載は、単なる例示的で解釈的な記載であり、本発明を限定しない。
【図面の簡単な説明】
【００２９】
以下の図面は、明細書に組み入れて本明細書の一部分を構成し、本発明に該当する実施例を例示するとともに、明細書とともに本発明の原理を解釈する。
【００３０】
【図１】例示性の実施例による一つのオーディオ再生システムを示す構成図である。
【図２】例示性の実施例による他のオーディオ再生システムを示す構成図である。
【図３】例示性の実施例による一つのオーディオ再生方法を示すフローチャートである。
【図４】例示性の実施例による他のオーディオ再生方法を示すフローチャートである。
【図５】例示性の実施例による第１のオーディオ再生装置を示すブロック図である。
【図６】例示性の実施例による第１の選択モジュールを示すブロック図である。
【図７】例示性の実施例による第２の選択モジュールを示すブロック図である。
【図８】例示性の実施例による第３の選択モジュールを示すブロック図である。
【図９】例示性の実施例による一つの第１取得モジュールを示すブロック図である。
【図１０】例示性の実施例による一つの第３取得ユニットを示すブロック図である。
【図１１】例示性の実施例による第２のオーディオ再生装置を示すブロック図である。
【図１２】例示性の実施例による第４の選択モジュールを示すブロック図である。
【図１３】例示性の実施例による第３のオーディオ再生装置を示すブロック図である。
【発明を実施するための形態】
【００３１】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
【００３２】
本発明の実施例について詳細に説明する前に、まず、本発明の実施例のシステム構成について説明する。図１に示すように、このシステムは、分離型本体と分離型スクリーンとを含む。この分離型本体は、ＨＤＭＩ（High Definition Multimedia Interface：高品位マルチメディアインタフェース）を介して分離型スクリーンに接続されている。この分離型本体は、信号の処理及びオーディオ情報の再生を行う。この分離型スクリーンには、画像が表示されている。また、この分離型本体には、分離型スクリーンの以外、サードパーティ再生ソースも接続されることができる。このサードパーティ再生ソースは、ビデオソース又はオーディオソースを提供するためのデバイスであり、オーディオ再生機能を有する再生ソースであってよいし、オーディオ再生機能を有しない再生ソースであってもよいことは言うまでもない。また、この分離型本体には、ＨＤＭＩを介して分離型スクリーンが接続されていることができるだけでなく、ＨＤＭＩを介してサードパーティ端末が接続されていることもできる。図２を参照として、サードパーティ端末は、画像を表示することができるだけでなく、オーディオを再生することもできる。そして、この分離型本体には、サードパーティ端末の以外、サードパーティ再生ソースも接続されていることもできる。
【００３３】
上述した図１に示すように、分離型本体がそれぞれ分離型スクリーン及びサードパーティ再生ソースに接続されていると、分離型スクリーンに画像が表示され、分離型本体がオーディオ再生を行い、サードパーティ再生ソースがオーディオ再生機能を有する場合、サードパーティ再生ソースがオーディオ再生を行うこともでき、つまり、このシステムはオーディオ再生機能を有するデバイスを二つ含む。上述した図２に示すように、分離型本体がそれぞれサードパーティ端末及びサードパーティ再生ソースに接続されていると、分離型本体とサードパーティ端末との夫々は、オーディオ再生を行うことができ、サードパーティ再生ソースがオーディオ再生機能を有する場合、サードパーティ再生ソースがオーディオ再生を行うこともでき、つまり、このシステムはオーディオ再生機能を有するデバイスを三つ含む。しかし、一般的に、オーディオ情報は、それらのうち、一つのデバイスによって再生を行うので、本発明の実施例、オーディオ再生機能を有する複数のデバイスのうち、一つのデバイスを選択して、選択されたデバイスにオーディオを再生させるようなオーディオ情報再生方法を提供する。
【００３４】
図３は、例示性の実施例による一つのオーディオ再生方法を示すフローチャートであり、図３に示すように、端末に適用されているこのオーディオ再生方法は、次のステップを含む。
【００３５】
ステップ３０１において、分離型本体に接続されているサードパーティ端末のオーディオデコードパラメータであって、デジタルオーディオ信号をアナログオーディオ信号に変換する変換能力を示すための第１オーディオデコードパラメータを取得する。
【００３６】
ステップ３０２において、前記分離型本体のオーディオデコードパラメータを第２オーディオデコードパラメータとして、前記第１オーディオデコードパラメータ及び第２オーディオデコードパラメータに基づき、前記サードパーティ端末と前記分離型本体のうち、変換能力がより大きなデバイスを選択する。
【００３７】
ステップ３０３において、選択されたデバイスによってオーディオ再生を行う。
【００３８】
前記第１オーディオデコードパラメータと前記第２オーディオデコードパラメータとの夫々は、少なくともオーディオデコード方式を含む。
【００３９】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００４０】
本発明の他の実施例において、当該第１オーディオデコードパラメータと第２オーディオデコードパラメータとの夫々は、サンプリング周波数とサウンドチャネル個数のうち、少なくとも一方をさらに含む。
【００４１】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該第１オーディオデコードパラメータに含まれているオーディオデコード方式の個数である第１個数と当該第２オーディオデコードパラメータに含まれているオーディオデコード方式の個数である第２個数を特定するステップと、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるステップと、を含む。
【００４２】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するステップと、当該第１サンプリング周波数が当該第２サンプリング周波数より大きい場合に、当該サードパーティ端末を変換能力が大きいデバイスとして決まるステップと、当該第１サンプリング周波数が当該第２サンプリング周波数より小さい場合に、当該分離型本体を変換能力が大きいデバイスとして決まるステップと、をさらに含む。
【００４３】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するステップと、当該第１サウンドチャネル個数が当該第２サウンドチャネル個数より大きい場合に、当該サードパーティ端末を変換能力が大きいデバイスとして決まるステップと、当該第１サウンドチャネル個数が当該第２サウンドチャネル個数より小さい場合に、当該分離型本体を変換能力が大きいデバイスとして決まるステップと、をさらに含む。
【００４４】
本発明の他の実施例において、当該第１オーディオデコードパラメータを取得するステップは、所定のインタフェースを介して当該サードパーティ端末の拡張表示識別データＥＤＩＤを読み取るステップと、当該サードパーティ端末のＥＤＩＤから当該第１オーディオデコードパラメータを取得するステップと、を含む。
【００４５】
本発明の他の実施例において、当該サードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
【００４６】
本発明の他の実施例において、当該第１オーディオデコードパラメータ及び第２オーディオデコードパラメータに基づき、当該サードパーティ端末と当該分離型本体のうち、変換能力が大きいオーディオデコードパラメータがあるデバイスを選択するステップの前には、当該分離型本体のＥＤＩＤを読み取るステップと、当該分離型本体のＥＤＩＤから当該第２オーディオデコードパラメータを取得するステップと、を含む。
【００４７】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該分離型本体にオーディオ再生機能を有するサードパーティ再生ソースが接続されている場合に、当該サードパーティ再生ソースのオーディオデコードパラメータである第３オーディオデコードパラメータを取得するステップと、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するステップと、を含む。
【００４８】
本発明の選択可能な実施例として、上述した選択可能なすべての実施形態を任意に組み合わせて使用することができるが、ここでは詳述しないようにする。
【００４９】
図４は、例示性の実施例による他のオーディオ再生方法を示すフローチャートである。図４を参照して、以下の方法を含む：
【００５０】
ステップ４０１において、分離型本体は、分離型本体に接続されているサードパーティ端末のオーディオデコードパラメータであって、デジタルオーディオ信号をアナログオーディオ信号に変換する変換能力を示すための第１オーディオデコードパラメータを取得する。
【００５１】
サードパーティ端末がオーディオを再生でき、分離型本体もオーディオを再生できることから、第１オーディオデコードパラメータと第２オーディオデコードパラメータとの再生効果を比較することにより、オーディオ再生の効果がより良いデバイスとしてサードパーティ端末と分離型本体のうちの一つを選択するために、この分離型本体が第１オーディオデコードパラメータを取得するステップは、所定のインタフェースを介してこのサードパーティ端末のＥＤＩＤを読み取るステップと、このサードパーティ端末のＥＤＩＤから当該第１オーディオデコードパラメータを取得するステップと、を含む。
【００５２】
そして、この分離型本体がサードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
【００５３】
所定の経路とは、ＥＤＩＤからデータファイルが取得されるための経路である。しかし、一般的に、データファイルは、ＥＤＩＤに存在する位置が固定であるので、この所定の経路は、予め設けておかれているものであってよいが、本実施例に限定されない。
【００５４】
また、データファイルとは、ＥＤＩＤにおいてオーディオ配置情報が含まれているファイルである。このデータファイルは、ＣＥＡ−８６１（Ｃｏｎｓｕｍｅｒ Ｅｌｅｃｔｒｏｎｉｃｓ Ａｓｓｏｃｉａｔｉｏｎ−８６１、家電協会−８６１）、すなわち、ＣＥＡで規定された非圧縮デジタルビデオ規格であってよいが、本実施例に限定されない。
【００５５】
また、分離型本体は、サードパーティ端末のデータファイルを取得したと、オーディオデコードパラメータフラグに基づき、当該データファイルから対応するオーディオデコードパラメータを取得し、取得されたオーディオデコードパラメータを第１オーディオデコードパラメータとして決定する。
【００５６】
オーディオデコードパラメータフラグは、オーディオデコードパラメータを識別するための唯一なフラグである。このオーディオデコードパラメータフラグは、オーディオデコードパラメータの名称などであってよいが、オーディオデコードパラメータの固定な番号であってもよく、その他のフラグであってもよいのは当たり前であり、本実施例に限定されない。
【００５７】
例えば、この所定の経路がＥＤＩＤ->ＣＥＡ ＢＬＯＣＫ->ＤＡＴＡ ＢＬＯＣＫの場合には、この分離型本体は、この所定の経路にしたがい、データファイルとしてＤＡＴＡ ＢＬＯＣＫを取得し、仮にオーディオデコードパラメータフラグがＡｕｄｉｏであると、オーディオデコードパラメータフラグＡｕｄｉｏに基づき、このＤＡＴＡ ＢＬＯＣＫからＡｕｄｉｏに対応するオーディオデコードパラメータを取得し、取得されたオーディオデコードパラメータを第１オーディオデコードパラメータとして決定する。
【００５８】
また、所定のインタフェースは、サードパーティ端末のＥＤＩＤを取得するためのものである。この所定のインタフェースは、ＨＤＭＩであってよいが、他のインタフェースであってもよく、本実施例に限定されない。
【００５９】
第１オーディオデコードパラメータは、オーディオデコード方式を少なくとも含み、このオーディオデコード方式とは、サードパーティ端末でオーディオ情報をデコードする方式である。このオーディオ情報デコード方式は、ＰＣＭ（Pulse Code Modulation：パルスコード変調）や、ＡＣ３（Audio Coding 3：オーディオコーディング３）、ＤＴＳ（Digital Theater Systems：デジタル・シアター・システム）、ＬＰＣ（Linear Predictive Coding：リニア予測コーディング）などであってよいが、本実施例に限定されない。
【００６０】
当該分離型本体に分離型スクリーンが接続されている場合に、分離型スクリーンがオーディオ再生機能を有しないので、当該分離型本体は、所定のインタフェースを介して第１オーディオデコードパラメータを取得する必要がない。分離型本体にサードパーティ端末が接続されている場合に、サードパーティ端末がオーディオ再生機能を有するので、この分離型本体は、所定のインタフェースを介して第１オーディオデコードパラメータを取得することができる。
【００６１】
さらに、この第１オーディオデコードパラメータは、オーディオデコード方式だけでなく、サンプリング周波数とサウンドチャネル個数のうち、少なくとも一方を含むこともできる。この第１オーディオデコードパラメータは、例えば、オーディオデジットなどといった他のパラメータをさらに含まれてもよいのは当たり前であり、本実施例に限定されない。
【００６２】
ステップ４０２において、分離型本体は、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択する。
【００６３】
変換能力とは、デジタルオーディオ信号をアナログオーディオ信号に変換する能力であり、変換能力が大きいほど、デバイスがオーディオ再生を行うオーディオ再生効果が良い。そこで、より良いオーディオ再生効果を取得するために、当該分離型本体は、当該第１オーディオデコードパラメータ及び第２オーディオデコードパラメータに基づき、当該サードパーティ端末と当該分離型本体のうち、変換能力がより大きなデバイスを選択する。そして、第１オーディオデコードパラメータと第２オーディオデコードパラメータは、少なくともオーディオデコード方式を含む。そこで、この分離型本体は、当該第１オーディオデコードパラメータ及び第２オーディオデコードパラメータに基づき、当該サードパーティ端末と当該分離型本体のうち、変換能力がより大きなデバイスを選択する動作において、当該第１オーディオデコードパラメータに含まれているオーディオデコード方式の個数である第１個数と当該第２オーディオデコードパラメータに含まれているオーディオデコード方式の個数である第２個数を特定し、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるようにしてもよい。
【００６４】
例えば、第１オーディオデコードパラメータは、オーディオデコード方式としてＰＣＬ、ＡＣ３及びＤＴＳを含む場合に、第１個数が三つとなり、第２オーディオデコードパラメータは、オーディオデコード方式としてＰＣＬ及びＤＴＳを含む場合に、第２個数が二つとなり、第１個数３が第２個数２より大きいので、サードパーティ端末を変換能力が大きいデバイスとして決まる。
【００６５】
同様に、この第２オーディオデコードパラメータは、オーディオデコード方式だけでなく、サンプリング周波数とサウンドチャネル個数のうち、少なくとも一方を含むこともできる。この第２オーディオデコードパラメータは、例えば、オーディオデジットなどといった他のパラメータをさらに含まれてもよいのは当たり前であり、本実施例に限定されない。
【００６６】
また、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得し、当該第１サンプリング周波数が当該第２サンプリング周波数より大きい場合に、当該サードパーティ端末を変換能力が大きいデバイスとして決まり、当該第１サンプリング周波数が当該第２サンプリング周波数より小さい場合に、当該分離型本体を変換能力が大きいデバイスとして決まる。
【００６７】
サンプリング周波数とは、秒間あたりオーディオサンプルを取得する回数である。このサンプリング周波数は、３２Ｋｈｚや４８Ｋｈｚ、９６Ｋｈｚなどであってよいが、本実施例に限定されない。
【００６８】
デバイスのサンプリング周波数が大きいほど、オーディオ情報を再生するオーディオ再生効果が良いので、サンプリング周波数が大きいデバイスが変換能力が大きいデバイスとして決まってもよい。
【００６９】
同様に、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得し、当該第１サウンドチャネル個数が当該第２サウンドチャネル個数より大きい場合に、当該サードパーティ端末を変換能力が大きいデバイスとして決まり、当該第１サウンドチャネル個数が当該第２サウンドチャネル個数より小さい場合に、当該分離型本体を変換能力が大きいデバイスとして決まる。
【００７０】
サウンドチャネル個数とは、オーディオ再生をサポートするサウンドチャンネルの数である。このサウンドチャネル個数は、モノサウンドチャンネルや４サウンドチャンネル、５サウンドチャンネルなどであってよいが、本実施例に限定されない。
【００７１】
デバイスのサウンドチャネル個数が多いほど、デバイスのS/N比が高く、S/N比が高いほど、デバイスに生じるノイズが少なく、オーディオ情報を再生するオーディオ再生効果がより良いので、サウンドチャネル個数が多いデバイスが変換能力が大きいデバイスとして決まってもよい。
【００７２】
同様に、当該第１個数と当該第２個数が等しい場合に、当該第１オーディオデコードパラメータと当該第２オーディオデコードパラメータの夫々に、サンプリング周波数とサウンドチャネル個数がさらに含まれていると、第１サンプリング周波数と第２サンプリング周波数を取得し、当該第１サンプリング周波数が当該第２サンプリング周波数より大きい場合に、当該サードパーティ端末を変換能力が大きいデバイスとして決まり、当該第１サンプリング周波数が当該第２サンプリング周波数より小さい場合に、当該分離型本体が変換能力の大きいデバイスとして決まる。第１サンプリング周波数と第２サンプリング周波数とが同じ場合に、第１サウンドチャネル個数と第２サウンドチャネル個数を引き続いて取得し、当該第１サウンドチャネル個数が当該第２サウンドチャネル個数より大きい場合に、当該サードパーティ端末が変換能力の大きいデバイスとして決まり、当該第１サウンドチャネル個数が当該第２サウンドチャネル個数より小さい場合に、当該分離型本体が変換能力の大きいデバイスとして決まる。
【００７３】
この第１オーディオデコードパラメータと第２オーディオデコードパラメータは、サンプリング周波数とサウンドチャネル個数をさらに含む場合に、まず、第１サウンドチャネル個数と第２サウンドチャネル個数を取得し、当該第１サウンドチャネル個数が当該第２サウンドチャネル個数より大きい場合に、当該サードパーティ端末が変換能力の大きいデバイスとして決まり、当該第１サウンドチャネル個数が当該第２サウンドチャネル個数より小さい場合に、当該分離型本体が変換能力の大きいデバイスとして決まり、第１サウンドチャネル個数と第２サウンドチャネル個数とが同じ場合に、第１サンプリング周波数と第２サンプリング周波数を引き続いて取得し、当該第１サンプリング周波数が当該第２サンプリング周波数より大きい場合に、当該サードパーティ端末が変換能力の大きいデバイスとして決まり、当該第１サンプリング周波数が当該第２サンプリング周波数より小さい場合に、当該分離型本体が変換能力の大きいデバイスとして決まってもよいのは当たり前である。本実施例に限定されない。
【００７４】
さらに、第１個数と第２個数とが同じ場合に、この第１オーディオデコードパラメータと第２オーディオデコードパラメータには、オーディオデコード方式だけが含まれていると、この分離型本体は、オーディオ情報をデコードする全てのオーディオデコード方式について、デコード効果の良否によってソートして得られた第１デコード順序に基づき、変換能力が大きいデバイスを選択してもよい。
【００７５】
そして、この分離型本体においては、第１オーディオデコードパラメータと第２オーディオデコードパラメータを取得し、かつ、この分離型本体に第１デコード順序が予め記憶されている場合に、第１デコード順序で第１オーディオデコードパラメータに含まれているオーディオデコード方式のソート位置、及び第１デコード順序で第２オーディオデコードパラメータに含まれているオーディオデコード方式のソート位置を特定し、第１デコード順序がデコード効果によって優れたものから悪いものまでとなるようにソートして得られたものであると、ソート位置の最もフロントになるオーディオデコード方式に対応するデバイスを変換能力が大きいデバイスとして決定し、第１デコード順序がデコード効果によって悪いものから優れたものまでとなるようにソートして得られたものであると、ソート位置の最もバックになるオーディオデコード方式に対応するデバイスを変換能力が大きいデバイスとして決定する。第１オーディオデコードパラメータと第２オーディオデコードパラメータが同じオーディオデコード方式を含む場合に、この分離型本体は、第１オーディオデコードパラメータと第２オーディオデコードパラメータとの異なるオーディオデコード方式を取得し、第１デコード順序がデコード効果によって優れたものから悪いものまでとなるようにソートして得られたものであると、異なるオーディオデコード方式のうち、ソート位置が最もフロントになるオーディオデコード方式に対応するデバイスを変換能力が大きいデバイスとして決定し、第１デコード順序がデコード効果によって悪いものから優れたものまでとなるようにソートして得られたものであると、異なるオーディオデコード方式のうち、ソート位置の最もバックになるオーディオデコード方式に対応するデバイスを変換能力が大きいデバイスとして決定する。
【００７６】
また、第１デコード順序が分離型本体で予め記憶されている場合に、この分離型本体は、上述した方法によって変換能力が大きいデバイスを選択してよいだけでなく、第１デコード順序に基づき、第１オーディオデコードパラメータに含まれているオーディオデコード方式と第２オーディオデコードパラメータに含まれているオーディオデコード方式とを一つずつ比較し、第１デコード順序がオーディオ情報をデコードする全てのオーディオデコード方式について、デコード効果の良否によってソートして得られるものであるので、デコード効果が最も優れているオーディオデコード方式に対応するデバイスが変換能力が大きいデバイスとして決まる。同様に、第１オーディオデコードパラメータと第２オーディオデコードパラメータがオーディオデコード方式を含む場合に、この分離型本体は、異なるオーディオデコード方式を比較して、デコード効果が最も優れているオーディオデコード方式に対応するデバイスを変換能力が大きいデバイスとして決定する。
【００７７】
例えば、第１デコード順序がデコード効果によって優れたものから悪いものまでとなるようにソートされて得られ、かつ、分離型本体に記憶されている第１デコード順序がＤＴＳ、ＡＣ３、ＰＣＭ、ＬＰＣのようになり、第１オーディオデコードパラメータに含まれているオーディオデコード方式がＰＣＭとＡＣ３であり、第２オーディオデコードパラメータに含まれているオーディオデコード方式がＰＣＭとＬＰＣである場合に、第１オーディオデコードパラメータと第２オーディオデコードパラメータとの夫々には、オーディオデコード方式ＰＣＭが含まれているので、この分離型本体は、第１デコード順序に基づき、ＡＣ３とＬＰＣとのみを比較して、ＡＣ３のデコード効果がＬＰＣのデコード効果より優れたことを決定することにより、サードパーティ端末を変換能力が大きいデバイスとして決定することができる。
【００７８】
また、この分離型本体は、直接的にデコード効果によって、第１オーディオデコードパラメータに含まれているオーディオデコード方式と第２オーディオデコードパラメータに含まれているオーディオデコード方式についてソートして第２デコード順序を得てもよい。その後、この分離型本体は、この第２デコード順序に基づき、デコード効果が最も優れているオーディオデコード方式に対応するデバイスを変換能力が大きいデバイスとして決定する。同様に、第１オーディオデコードパラメータと第２オーディオデコードパラメータが同じオーディオデコード方式を含む場合に、この分離型本体は、第１オーディオデコードパラメータと第２オーディオデコードパラメータとの異なるオーディオデコード方式を取得し、デコード効果によって異なるオーディオデコード方式についてソートし、デコード効果が最も優れているオーディオデコード方式に対応するデバイスを変換能力が大きいデバイスとして決定する。
【００７９】
この第１デコード順序は、分離型本体に予め記憶されていってもよいが、本実施例に限定されないようにする。
【００８０】
また、第１デコード順序は、オーディオデコード方式についてソートする方式がデコード効果によって優れたものから悪いものまでになるようにソートするものであってよいが、デコード効果によって悪いものから優れたものまでになるようにソートするものであってもよく、本実施例に限定されない。同様に、第２デコード順序は、オーディオデコード方式についてソートする方式がデコード効果によって優れたものから悪いものまでになるようにソートするものであってよいが、デコード効果によって悪いものから優れたものまでになるようにソートするものであってもよく、本実施例にも限定されない。
【００８１】
この分離型本体は、オーディオデコード方式に必要となる周波数帯の範囲によってデコード効果の良否を特定することにより、デコード効果によってソートしてよいが、他の方法でデコード効果の良否を特定することにより、ソートしてもよく、本実施例に限定されない。
【００８２】
また、分離型本体とサードパーティ端末との変換能力が同じ場合に、この分離型本体は、分離型本体自身とサードパーティ端末とのうち、一つのデバイスをランダムに選択してよいが、本実施例に限定されない。
【００８３】
さらに、この分離型本体は、この第１オーディオデコードパラメータと第２オーディオデコードパラメータに基づき、このサードパーティ端末と分離型本体とのうち、変換能力が大きいオーディオデコードパラメータに対応するデバイスを選択された前に、この分離型本体自分のＥＤＩＤを読み取り、当該ＥＤＩＤから当該第２オーディオデコードパラメータを取得する。
【００８４】
分離型本体がこの分離型本体自分のＥＤＩＤから第２オーディオデコードパラメータを取得する方法については、分離型本体が第１オーディオデコードパラメータを取得する方法を参照としてよいが、ここでは詳述しない。
【００８５】
ステップ４０３において、選択されたデバイスによってオーディオ再生を行う。
【００８６】
この分離型本体に、サードパーティ端末以外、一つのサードパーティ再生ソースが接続されていることができる。そこで、当該分離型本体に接続されているサードパーティ再生ソースもオーディオ再生機能を有する場合に、当該分離型本体は、当該サードパーティ再生ソースのオーディオデコードパラメータである第３オーディオデコードパラメータを取得し、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択してよい。
【００８７】
この分離型本体が第３オーディオデコードパラメータを取得する動作について、上述のような分離型本体が第１オーディオデコードパラメータを取得する動作を参照としてよいが、ここでは詳述しない。
【００８８】
また、この分離型本体は、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択する方法について、上述したステップ４０２を参照としてよいが、ここでは詳述しない。
【００８９】
当該サードパーティオーディオソースとは、オーディオ情報を再生するソースである。このサードパーティ再生ソースは、ディスクプレーヤーやミュジックプレーヤーなどであってよいが、本実施例に限定されない。
【００９０】
また、この分離型本体には、複数のオーディオ再生機能を有するデバイスが接続されていることができる。この分離型本体は、分離型本体自分と複数のデバイスとを一つずつ比較することにより、変換能力が大きいデバイス、すなわち、再生効果の最適なデバイスが選択されてオーディオを再生してよいが、本実施例に限定されない。
【００９１】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【００９２】
図５は、例示性の実施例による第１のオーディオ再生装置を示すブロック図である。図５を参照として、この装置は、第１取得モジュール５０１と、選択モジュール５０２と、再生モジュール５０３とを含む。
【００９３】
第１取得モジュール５０１は、分離型本体に接続されているサードパーティ端末のオーディオデコードパラメータであって、デジタルオーディオ信号をアナログオーディオ信号に変換する変換能力を示すための第１オーディオデコードパラメータを取得するためのものである。
【００９４】
選択モジュール５０２は、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択するためのものである。
【００９５】
再生モジュール５０３は、選択されたデバイスによってオーディオ再生を行うためのものである。
【００９６】
当該第１オーディオデコードパラメータと当該第２オーディオデコードパラメータとの夫々は、少なくともオーディオデコード方式を含む。
【００９７】
本発明の他の実施例において、当該第１オーディオデコードパラメータと第２オーディオデコードパラメータとの夫々は、サンプリング周波数とサウンドチャネル個数のうち、少なくとも一方をさらに含む。
【００９８】
本発明の他の実施例において、図６を参照して、当該選択モジュール５０２において：
当該第１オーディオデコードパラメータに含まれているオーディオデコード方式の個数である第１個数と当該第２オーディオデコードパラメータに含まれているオーディオデコード方式の個数である第２個数を特定するための第１特定ユニット５０２１と、
当該第１個数が当該第２個数より大きい場合に、当該サードパーティ端末を変換能力が大きいデバイスとして決まるための第２特定ユニット５０２２と、
当該第１個数が当該第２個数より小さい場合に、当該分離型本体を変換能力が大きいデバイスとして決まるための第３特定ユニット５０２３と、を含む。
【００９９】
本発明の他の実施例において、図７を参照して、当該選択モジュール５０２において：
当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するための第１取得ユニット５０２４と、
当該第１サンプリング周波数が当該第２サンプリング周波数より大きい場合に、当該サードパーティ端末を変換能力が大きいデバイスとして決まるための第４特定ユニット５０２５と、
当該第１サンプリング周波数が当該第２サンプリング周波数より小さい場合に、当該分離型本体を変換能力が大きいデバイスとして決まるための第５特定ユニット５０２６と、をさらに含む。
【０１００】
本発明の他の実施例において、図８を参照して、当該選択モジュールにおいて：
当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するための第２取得ユニット５０２７と、
当該第１サウンドチャネル個数が当該第２サウンドチャネル個数より大きい場合に、当該サードパーティ端末を変換能力が大きいデバイスとして決まるための第６特定ユニット５０２８と、
当該第１サウンドチャネル個数が当該第２サウンドチャネル個数より小さい場合に、当該分離型本体を変換能力が大きいデバイスとして決まるための第７特定ユニット５０２９と、をさらに含む。
【０１０１】
本発明の他の実施例において、図９を参照して、当該第１取得モジュール５０１において、
所定のインタフェースを介して当該サードパーティ端末の拡張表示識別データＥＤＩＤを読み取るための読取ユニット５０１１と、
当該サードパーティ端末のＥＤＩＤから当該第１オーディオデコードパラメータを取得するための第３取得ユニット５０１２と、を含む。
【０１０２】
本発明の他の実施例において、図１０を参照して、当該第３取得ユニット５０１２において、
所定の経路に介して、当該サードパーティ端末のＥＤＩＤデータファイルを取得するための第１取得サブユニット５０１２１と、
当該データファイルから当該第１オーディオデコードパラメータを取得するための第２取得サブユニット５０１２２と、を含む。
【０１０３】
本発明の他の実施例において、図１１を参照して、当該装置において、
当該分離型本体のＥＤＩＤを読み取るための読取モジュール５０４と、
当該分離型本体のＥＤＩＤから当該第２オーディオデコードパラメータを取得するための第２取得モジュール５０５と、を含む。
【０１０４】
本発明の他の実施例において、図１２を参照して、当該選択モジュール５０２において、
当該分離型本体にオーディオ再生機能を有するサードパーティ再生ソースが接続されている場合に、当該サードパーティ再生ソースのオーディオデコードパラメータである第３オーディオデコードパラメータを取得するための第４取得ユニット５０２１０と、
当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するための選択ユニット５０２１１と、を含む。
【０１０５】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【０１０６】
上述した実施例における装置について、各モジュールが動作する形態がその装置に関する方法の実施例で説明したが、ここで詳細な説明を省略する。
【０１０７】
図１３は他の例示的実施例に係るポジショニング装置１３００を示すブロック図である。例えば、装置１３００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１０８】
図１３を参照すると、装置１３００は、処理ユニット１３０２、メモリ１３０４、電源ユニット１３０６、マルチメディアユニット１３０８、オーディオユニット１３１０、入力/出力（Ｉ/Ｏ）インターフェース１３１２、センサーユニット１３１４、及び通信ユニット１３１６からなる群から選ばれる少なくとも１つを有してもよい。
【０１０９】
処理ユニット１３０２は、一般的には、装置１３００の全体の操作、例えば、表示、電話呼び出し、データ通信、カメラ操作及び記録操作に関連する操作を制御する。処理ユニット１３０２は、上述した方法におけるステップの一部又は全部を実現できるように、命令を実行する少なくとも１つのプロセッサー１３２０を有してもよい。また、処理ユニット１３０２は、他のユニットとのインタラクションの便宜を図るように、少なくとも１つのモジュールを有してもよい。例えば、処理ユニット１３０２は、マルチメディアユニット１３０８とのインタラクションの便宜を図るように、マルチメディアモジュールを有してもよい。
【０１１０】
メモリ１３０４は、装置１３００での操作をサポートするように、各種のデータを記憶するように配置される。これらのデータは、例えば、装置１３００で何れのアプリケーション又は方法を操作するための命令、連絡先データ、電話帳データ、メッセージ、画像、ビデオ等を含む。メモリ１３０４は、何れの種類の揮発性又は不揮発性メモリ、例えば、ＳＲＡＭ（Static Random Access Memory）、ＥＥＰＲＯＭ（Electrically Erasable Programmable Read-Only Memory）、ＥＰＲＯＭ（Erasable Programmable Read Only Memory）、ＰＲＯＭ（Programmable ROM）、ＲＯＭ（Read Only Memory）、磁気メモリ、フラッシュメモリ、磁気ディスク、或いは光ディスクにより、或いはそれらの組み合わせにより実現することができる。
【０１１１】
電源ユニット１３０６は、装置１３００の各種ユニットに電力を供給するためのものであり、電源管理システム、１つ又は複数の電源、及び装置１３００のために電力を生成、管理及び分配することに関連する他のユニットを有してもよい。
【０１１２】
マルチメディアユニット１３０８は、装置１３００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１３０８は、フロントカメラ及び/又はバックカメラを有してもよい。装置１３００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
オーディオユニット１３１０は、オーディオ信号を出力及び/又は入力するように配置される。例えば、オーディオユニット１３１０は、マイクロフォン（ＭｉＣ）を有してもよい。装置１３００が、例えば、呼び出しモード、記録モード、又は音声認識モードのような操作モードにあるとき、マイクロフォンは、外部のオーディオ信号を受信するように配置される。受信したオーディオ信号は、メモリ１３０４にさらに記憶されてもよいし、通信ユニット１３１６を介して送信されてもよい。一実施例では、オーディオユニット１３１０は、オーディオ信号を出力するためのスピーカをさらに有してもよい。
【０１１３】
Ｉ/Ｏインターフェース１３１２は、処理ユニット１３０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１１４】
センサーユニット１３１４は、装置１３００のために各方面の状態を評価する少なくとも１つのセンサーを有してもよい。例えば、センサーユニット１３１４は、装置１３００のオン/オフ状態や、ユニットの相対的な位置を検出することができる。例えば、当該ユニットは、装置１３００のディスプレイ及びキーパッドである。センサーユニット１３１４は、装置１３００又は装置１３００の１つのユニットの位置の変化、ユーザーによる装置１３００への接触の有無、装置１３００の方向又は加速/減速、装置１３００の温度変化などを検出することができる。センサーユニット１３１４は、何れの物理的な接触もない場合に付近の物体を検出するように配置される近接センサーを有してもよい。センサーユニット１３１４は、イメージングアプリケーションに用いるための光センサー、例えば、ＣＭＯＳ又はＣＣＤ画像センサーを有してもよい。一実施例では、当該センサーユニット１３１４は、加速度センサー、ジャイロスコープセンサー、磁気センサー、圧力センサー又は温度センサーをさらに有してもよい。
【０１１５】
通信ユニット１３１６は、装置１３００と他の設備の間との無線又は有線通信の便宜を図るように配置される。装置１３００は、例えば、ＷｉＦｉ、２Ｇ又は３Ｇ、又はそれらの組み合わせの通信標準に基づく無線ネットワークにアクセスできる。１つの例示的な実施例では、通信ユニット１３１６は、ブロードキャストチャンネルを介して外部のブロードキャスト管理システムからのブロードキャスト信号又はブロードキャストに関する情報を受信する。１つの例示的な実施例では、当該通信ユニット１３１６は、近距離通信を促進するために近距離無線通信（ＮＦＣ）モジュールをさらに有してもよい。例えば、ＮＦＣモジュールは、無線周波数認識（ＲＦＩＤ：Radio Frequency IDentification）技術、赤外線データ協会（ＩｒＤＡ：Infrared Data Association）技術、超広帯域無線（ＵＷＢ：Ultra Wide Band）技術、ブルートゥース（ＢＴ：Bluetooth）（登録商標）技術及び他の技術によって実現されてもよい。
【０１１６】
例示的な実施例では、装置１３００は、上述した方法を実行するために、１つ又は複数の特定用途向け集積回路（ＡＳＩＣ：Application Specific Integrated Circuit）、デジタル信号プロセッサー（ＤＳＰ：Digital Signal Processor）、デジタル信号処理デバイス（ＤＳＰＤ：Digital Signal Processing Device）、プログラマブルロジックデバイス（ＰＬＤ：Programmable Logic Device）、書替え可能ゲートアレイ（ＦＰＧＡ：Field-Programmable Gate Array）、コントローラ、マイクロコントローラ、マイクロプロセッサー、又は他の電子機器によって実現されてもよい。
【０１１７】
例示的な実施例では、命令を有する非一時的コンピュータ読み取り可能な記録媒体、例えば、命令を有するメモリ１３０４をさらに提供する。この命令は、装置１３００のプロセッサー１３２０により実行されて上述した方法を実現する。例えば、当該非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１１８】
非一時的コンピュータ読み取り可能な記録媒体は、当該記録媒体における命令が端末のプロセッサーにより実行されると、端末がオーディオ再生方法を実行するようにする。当該方法において、分離型本体に接続されているサードパーティ端末のオーディオデコードパラメータであって、デジタルオーディオ信号をアナログオーディオ信号に変換する変換能力を示すための第１オーディオデコードパラメータを取得するステップと、当該分離型本体のオーディオデコードパラメータを第２オーディオデコードパラメータとして、当該第１オーディオデコードパラメータ及び第２オーディオデコードパラメータに基づき、当該サードパーティ端末と当該分離型本体のうち、変換能力がより大きなデバイスを選択するステップと、選択されたデバイスによってオーディオ再生を行うステップと、を含む。当該第１オーディオデコードパラメータと当該第２オーディオデコードパラメータとの夫々は、少なくともオーディオデコード方式を含む。
【０１１９】
本発明の他の実施例において、当該第１オーディオデコードパラメータと第２オーディオデコードパラメータとの夫々は、サンプリング周波数とサウンドチャネル個数のうち、少なくとも一方をさらに含む。
【０１２０】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該第１オーディオデコードパラメータに含まれているオーディオデコード方式の個数である第１個数と当該第２オーディオデコードパラメータに含まれているオーディオデコード方式の個数である第２個数を特定するステップと、当該第１個数が当該第２個数より大きい場合に、当該サードパーティ端末を変換能力が大きいデバイスとして決まるステップと、当該第１個数が当該第２個数より小さい場合に、当該分離型本体を変換能力が大きいデバイスとして決まるステップと、を含む。
【０１２１】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サンプリング周波数がさらに含まれていると、当該第１オーディオデコードパラメータに含まれているサンプリング周波数である第１サンプリング周波数と当該第２オーディオデコードパラメータに含まれているサンプリング周波数である第２サンプリング周波数を取得するステップと、当該第１サンプリング周波数が当該第２サンプリング周波数より大きい場合に、当該サードパーティ端末を変換能力が大きいデバイスとして決まるステップと、当該第１サンプリング周波数が当該第２サンプリング周波数より小さい場合に、当該分離型本体を変換能力が大きいデバイスとして決まるステップと、をさらに含む。
【０１２２】
本発明の他の実施例において、当該第１個数と第２個数を特定するステップの後には、当該第１個数と当該第２個数が等しい場合に、当該第１オーディオデコードパラメータと当該第２オーディオデコードパラメータの夫々に、サウンドチャネル個数がさらに含まれていると、当該第１オーディオデコードパラメータに含まれているサウンドチャンネル個数である第１サウンドチャネル個数と当該第２オーディオデコードパラメータに含まれているサウンドチャンネル個数である第２サウンドチャネル個数を取得するステップと、当該第１サウンドチャネル個数が当該第２サウンドチャネル個数より大きい場合に、当該サードパーティ端末を変換能力が大きいデバイスとして決まるステップと、当該第１サウンドチャネル個数が当該第２サウンドチャネル個数より小さい場合に、当該分離型本体を変換能力が大きいデバイスとして決まるステップと、をさらに含む。
【０１２３】
本発明の他の実施例において、当該第１オーディオデコードパラメータを取得するステップは、所定のインタフェースを介して当該サードパーティ端末の拡張表示識別データＥＤＩＤを読み取るステップと、当該サードパーティ端末のＥＤＩＤから当該第１オーディオデコードパラメータを取得するステップと、を含む。
【０１２４】
本発明の他の実施例において、当該当該サードパーティ端末のＥＤＩＤから当該第１オーディオデコードパラメータを取得するステップは、所定の経路に介して、当該サードパーティ端末のＥＤＩＤデータファイルを取得するステップと、当該データファイルから当該第１オーディオデコードパラメータを取得するステップと、を含む。
本発明の他の実施例において、当該第１オーディオデコードパラメータ及び第２オーディオデコードパラメータに基づき、当該サードパーティ端末と当該分離型本体のうち、変換能力が大きいオーディオデコードパラメータがあるデバイスを選択するステップの前には、当該分離型本体のＥＤＩＤを読み取るステップと、当該分離型本体のＥＤＩＤから当該第２オーディオデコードパラメータを取得するステップと、を含む。
【０１２５】
本発明の他の実施例において、当該第１オーディオデコードパラメータ及び第２オーディオデコードパラメータに基づき、当該サードパーティ端末と当該分離型本体のうち、変換能力がより大きなデバイスを選択するステップは、当該分離型本体にオーディオ再生機能を有するサードパーティ再生ソースが接続されている場合に、当該サードパーティ再生ソースのオーディオデコードパラメータである第３オーディオデコードパラメータを取得するステップと、当該第１オーディオデコードパラメータと、第２オーディオデコードパラメータと、当該第３オーディオデコードパラメータとに基づき、当該サードパーティ端末と、当該分離型本体と、当該サードパーティ再生ソースとのうち、変換能力が大きなデバイスを選択するステップと、を含む。
【０１２６】
本発明の実施例において、分離型本体とサードパーティ端末の夫々がオーディオを再生できるとともに、分離型本体とサードパーティ端末との再生効果が異なることから、第１オーディオデコードパラメータと第２オーディオデコードパラメータとを比較することにより、変換能力が大きいデバイスをオーディオ再生のためのデバイスとして選択し、オーディオ再生効果が向上し、再生デバイスの選択の精度も向上する。
【０１２７】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【０１２８】
本発明は、上記で記述され、図面で図示した特定の構成に限定されず、その範囲を逸脱しない範囲で、様々な修正や変更を行うとができる。本発明の範囲は、添付される特許請求の範囲のみにより限定される。
【国際調査報告】
2018509007.tif 000016
2018509007.tif 000017
2018509007.tif 000018
2018509007.tif 000019